(57)【要約】放射線記録プレート（１０４）は、表側と裏側の両方から露出されると、画像を形成するように構築かつ配設することができる。このプレートには、露出後の画像（２０５）内で検出可能であるとともに、表側および裏側のどちらからプレートが露出されたかを示す、マーカー（２０１）を含めることができる。このマーカーは、プレートが片側から露出されるときに画像の読み取りと干渉しない領域をコーティングする、放射線に不透過性の媒体を含むか、またはプレートの感応層内の空隙とすることができる。このマーカーは、正常画像方向に対して垂直な軸の回りに水平非対称とするか、またはマーカーは、正常画像方向に対して水平な軸の回りに垂直非対称とすることができる。このマーカーには、プレート上の画像内での出現が、それぞれ表側および裏側からの露出を表示する、表側マーカーおよび裏側マーカーをさらに含めることができる。放射線記録プレートが放射線に露出された側を識別する方法は、プレート（１０４）内のプレートの画像領域と実質的に干渉しない位置に、画像内に出現することによってプレートがどちらの側から露出されるかを識別するマーカー（２０１）を組み入れること、プレートを放射線に露出すること、およびプレートの露出された側を識別するために画像（２０５）を観察することを含む。少なくとも１つの放射線感応層を有する放射線感応プレートを製造する方法には、放射線に感応するフィルムを、放射線感応プレートの第１の側に設けること、および結合剤中の重金属への懸濁剤を、放射線感応層の、第２の側の一領域に塗布することを含むことができる。
2005522704.tif 000002
【特許請求の範囲】
【請求項１】
表側と裏側の両方からの露出時に画像を形成するように構築かつ配設された放射線記録プレートであって、露出後に画像内で検出可能であるとともに、プレートが表側と裏側のいずれから露出されるかを示すマーカーを含む、前記プレート。
【請求項２】
プレートがいずれかの側から露出されるとき、マーカーが、画像の読み取りと干渉しない領域をコーティングする、放射線に対して不透過性の媒体を含む、請求項１に記載のプレート。
【請求項３】
Ｘ線放射に感応するとともに、媒体が、重量元素、重量元素を含む合金、重量元素を含む化合物または重量元素の塩の１つを含む、請求項２に記載のプレート。
【請求項４】
媒体が、Ｐｂ、Ｓｎ、Ｂｉ、ＩおよびＢａの１つである、請求項３に記載のプレート。
【請求項５】
Ｘ線放射に感応するとともに、媒体が、前記領域に塗布される結合剤に懸濁された重金属を含む、請求項２に記載のプレート。
【請求項６】
マーカーが、少なくとも１つの軸の回りに非対称である、請求項１に記載のプレート。
【請求項７】
マーカーが、正常な画像方向に対して垂直な軸の回りに、水平非対称である、請求項６に記載のプレート。
【請求項８】
マーカーが、正常な画像方向に対して水平な軸の回りに、垂直非対称である、請求項６に記載のプレート。
【請求項９】
マーカーが裏側マーカーをさらに含み、この裏側マーカーがプレート上の画像に出現すると、裏側からの露出されたことを示す、請求項１に記載のプレート。
【請求項１０】
表側からのみ読み取り可能な放射線に感応する層を有し、裏側マーカーが、感応層の読み取りを増強する材料と感応層の読み取りを減弱させる材料の、少なくとも１つをさらに含む、請求項９に記載のプレート。
【請求項１１】
裏側マーカーが、設定領域におけるプレートの露出を増強する材料と、設定領域におけるプレートの露出を減弱させる材料の、少なくとも１つをさらに含む、請求項９に記載のプレート。
【請求項１２】
裏側マーカーが、重量元素、重量元素を含む合金、重量元素を含む化合物、または重量元素の塩の１つをさらに含む、請求項１１に記載のプレート。
【請求項１３】
媒体が、Ｐｂ、Ｓｎ、Ｂｉ、ＩおよびＢａの１つである、請求項１２に記載のプレート。
【請求項１４】
表側マーカーをさらに含み、この表側マーカーがプレート上の画像内に出現すると、表側から露出されたことを示す、請求項１に記載のプレート。
【請求項１５】
少なくとも表側から読み取り可能な、放射線に感応する層を有し、表側マーカーが、前記放射線に感応する層内に画定される空隙と、前記感応層を読み取るときにマーカーの部分に戻される信号を増強する材料と、前記感応層を読み取るときにマーカーの部分に戻される信号を減弱させる材料との、少なくとも１つをさらに含む、請求項１４に記載のプレート。
【請求項１６】
放射線に感応する層を励起波長で励起して戻り信号波長における戻り信号を生成することによって、表側からのみ読み取り可能であって、表側マーカーが、前記励起信号波長と前記戻り信号波長の少なくとも１つに機能的に不透過性である、請求項１５に記載のプレート。
【請求項１７】
表側マーカーが、重量元素、重量元素を含む合金、重量元素を含む化合物、または重量元素の塩の１つをさらに含む、請求項１５に記載のプレート。
【請求項１８】
媒体が、Ｐｂ、Ｓｎ、Ｂｉ、ＩおよびＢａの１つである、請求項１７に記載のプレート。
【請求項１９】
表側マーカーが、放射線に感応する層に画定された空隙をさらに含む、請求項１５に記載のプレート。
【請求項２０】
マーカーが、少なくとも１つの軸の回りに非対称であるとともに、前記マーカーが、表側マーカーおよび裏側マーカーをさらに含む、請求項１に記載のプレート。
【請求項２１】
マーカーが、正常な画像方向に対する垂直軸の回りに水平非対称である、請求項２０に記載のプレート。
【請求項２２】
表側マーカーが、
表側から見たときに第１の方向を指す、方向性マーカー形状を有するように画定された領域をさらに含む、請求項２１に記載のプレート。
【請求項２３】
裏側マーカーが、
表側から見たときに、第１の方向とは異なる第２の方向を指す、方向性マーカー形状を有するように画定された領域をさらに含む、請求項２２に記載のプレート。
【請求項２４】
プレートが裏側から露出されて、表側から読み取られるときに、表側マーカーを覆い隠すように、裏側マーカーが配置された、請求項２３に記載のプレート。
【請求項２５】
マーカーが、正常な画像方向に対して垂直軸の周りに垂直非対称である、請求項２０に記載のプレート。
【請求項２６】
表側マーカーが、
表側から見たときに、第１の方向を指す、方向性マーカー形状を有するように画定された領域をさらに含む、請求項２５に記載のプレート。
【請求項２７】
裏側マーカーが、
表側から見たときに、第１の方向とは異なる第２の方向を指す、方向性マーカー形状を有するように画定された領域をさらに含む、請求項２６に記載のプレート。
【請求項２８】
プレートが裏側から露出されて表側から読み取られるときに、表側マーカーを覆い隠すように、裏側マーカーが配置された、請求項２７に記載のプレート。
【請求項２９】
別の感応層をさらに含み、裏側マーカーが、前記感応層と他方の感応層との間に配置されるプレートであって、前記他方の感応層に対して別の表側マーカーをさらに含む、請求項１５に記載のプレート。
【請求項３０】
プレート内のプレートの画像領域と実質的に干渉しない位置に、画像中に出現することによってプレートがどちらの側から露出されるかを識別する、マーカーを組み入れること、
プレートを放射線に露出すること、および
プレートの露出された側を識別するために画像を観察することを含む、放射線記録プレートが放射線に露出された側を識別する方法。
【請求項３１】
マーカーをプレートの回転方向を表示するように配設すること、および
前記プレートの回転方向の表示を得るために画像を観察することを含む、請求項３０に記載の方法。
【請求項３２】
画像処理ソフトウエアを使用して画像を観察することをさらに含み、前記画像処理ソフトウエアがマーカーを認識して、プレートの画像を、臨床的に予想される方向を有するように再配向する、請求項３１に記載の方法。
【請求項３３】
画像に、画像が奇数回、再配向されたかどうかの表示を保存することをさらに含む、請求項３２に記載の方法。
【請求項３４】
マーカーを、ソフトウエアが画像を処理したことを示す置換マーカーで置き換えること、および
画像に置換マーカーを保存することをさらに含む、請求項３２に記載の方法。
【請求項３５】
画像に、画像が奇数回、再配向されたかどうかの表示を保存することをさらに含む、請求項３４に記載の方法。
【請求項３６】
放射線に感応するフィルムを、放射線感応プレートの第１の側に設けること、および
結合剤中への重金属の懸濁剤を、前記放射線感応層の、第２の側の一領域に塗布することを含む、少なくとも１つの放射線感応層を有する放射線感応プレートを製造する方法。
【発明の詳細な説明】
【発明の詳細な説明】
【０００１】
関連出願の相互参照
本出願は、３５Ｕ．Ｓ．Ｃ．１１９（ｅ）の下で、２００２年１２月６日付出願の「METHOD FOR INTERNALLY LABELING THE ORIENTATION OF EXPOSURE OF RADIATION-SENSITIVE PLATES BY PRODUCING A RECOGNIZABLE PATTERN WITHIN THE INFORMATION SET PRODUCED BY SUCH EXPOSURE」という名称の米国特許仮出願番号第６０／３７２，３２３号、２００２年１２月６日付出願の「RADIATION SENSITIVE RECORDING PLATE, A METHOD OF MAKING SAME AND A METHOD OF RECORDING ANDORIENTING IMAGES」という名称の米国特許仮出願第６０／４３１，２８２号、および２００３年３月１８日付出願の「A RADIATION SENSITIVE RECORDING PLATE AND METHODOF MAKING AND USING SAME」という名称の米国特許出願第１０／３８２，１５８号の優先権を主張するものであり、これらのすべてを、参照によりその全文を本明細書に組み入れてある。
【０００２】
背景
本出願は、一般的には画像処理に関する。より具体的には、本出願は、画像方向の識別に関する。さらに具体的には、本出願は、医療用および歯科用のＸ線シャドーグラム（shadow-gram）における画像方向識別に関する。
【０００３】
従来型のロールフィルムカメラにおいてフィルム上に生成される画像は、正しく方向を決めるのが容易であるが、これは、カメラはフィルムの感光乳剤が常にレンズに面するように構築されているためである。フィルムカセットとカメラの形状が理由で、最新のカメラに、感光乳剤がレンズと反対に向いた状態で、フィルムを装入することができない。したがって、フィルムによって記録される光またはその他の放射線は、感光乳化剤側からフィルムにあたったことが、いつも分かっている。したがって、投影するためにスライドの方向を定めたり、ライトボックス上で見るためにフィルム画像の方向を定めるときに、感光乳剤をスライドプロジェクタの投射レンズに向けて置くか、または感光乳剤を観察者の方向に向けてフィルムをライトボックスの上の置くことが、いつもわかっている。これを行えば、投射するときも、ライトボックスの上で観察するときも、観察者が見る画像は、元の場面における物体の方向と、既知の設定された対応をもつことになる。さらに、方向が分からなくなったとしても、感光乳剤のある場所を特定することに基づいて再配向を行うことによって、適正な方向が復旧される。
【０００４】
同様に、片面側だけからの露出に感応する、電化結合デバイス（ＣＣＤ）などの検出器を備えるカメラを使用して生成されるディジタル画像は、本質的に明白である。そのような画像を生成するのに使用されるカメラは、レンズまたはレンズマウントを検出器に対して固定位置なるように、物理的に構築かつ配置されており、その結果、露出放射線が検出器に当たる方向は常に既知である。歯科用ディジタル放射線写真（radiography）に使用されるＣＣＤセンサも、適正な方向から露出されたときにのみ診断画像が生成されるように、物理的に構築かつ配置される。そのようなＣＣＤセンサは、意図する露出方向と反対側にある放射線不透過要素を含む。
【０００５】
従来型フィルム上に生成される歯科用または医療用の診断画像に対しては、問題は、さらにいくぶん複雑である。一般的な歯科用または医療用診断画像の１つにシャドーグラムがあり、これは、撮像しようとする物体の片側に放射線写真フィルムを配置し、フィルムが感応する放射線源を、撮像しようとする物体の正反対側に配置することによって生成される。放射線、例えばＸ線は、撮像しようとする物体の影をフィルム上に落とし、それによって影が落とされた物体内部の密度変化を露呈する。試験物体の標準方向を使用し、かつ放射線源が感光乳剤に露光するのと同じ側からフィルムを見るときに、左右関係（laterality）、すなわち物体の右対左の関係が保存されるが、これは観察者が、画像だけを観察することによって右側と左側を明白に見分けることができるためである。しかしながら、医療用または歯科用Ｘ線フィルムは、フィルムがＸ線と可視光の両方に対して透過性であるので、両側から露光し、かつ見ることができる。方向の問題をさらに複雑にするのは、感光乳化剤は、フィルムの感度を向上させることによって、診断画像を生成するのに要する放射線用量を低減するために、フィルムの両側に塗布されることが多いことである。しかしながら、このように構築されたフィルムは、感光乳化剤を有する側に基づいて方向を定めることができない。したがって、フィルムが放射線に露出された側を識別し、それによってフィルムを見るべき側を表示するのが望ましい。
【０００６】
慣例的に、また一部にはＸ線とともに可視光に高い感度を有するために、放射線写真フィルムは、通常、不透過性カセット内に保持され、このカセットは、可視光に対する露出を防止するだけでなく、Ｘ線露出を、フィルムの片側だけに制限する。医療用Ｘ線用途に使用されるような大型フィルムを露光する、カセットの側面には、患者名、露出日時、患者の側（例えば、左腕または右腕など）、その他を含む様々な患者情報を示す、放射線不透過ラベルを含めることが多く、これが、例えば、露出が行われたフィルムの側についての画像に埋め込まれた明確な表示を提供する。そのようなラベルを使用する場合には、入射線に露出する側の反対側から見ることによって画像が逆転すると、ラベル文字も逆転して、診断画像の方向が逆転していることが明確に表示される。フィルムの余白上に自動的に光学的な印字をして、それによってフィルムの露出中の画像、関係する患者、露出および方向データを印字する機構を、フィルムカセット内に組み入れたシステムも存在する（例えば、Planmeca製のパントモグラフ（pantomograph））。
【０００７】
物理的構造、例えば、フィルムの端または隅の切欠き、または物体を露出する装置内で、カセット自体をカセットホルダに方向づけるキー溝を使用して、カセットおよび露光装置内のフィルムの正しい向き、したがって、物体に対するフィルムおよびその上に記録される画像の相対的な向きが得られるとともに、診断画像自体に表される構造と独立して引き出せることをさらに確実にすることが多い。カセットの「裏側」は、その全表面にわたって、それ自体が少なくとも部分的に放射線不透過として、それによって誤った側からの偶発的な露出を防止する。こうして、画像中に影を生成する元の形状物の空間的な向きが、明確かつ明白に定義される。しかしながら、この明確かつ明白な結果は、上述の機械的構造に依存するか、またはカセットを装入して、方向ラベルを配置し、続いて正しい側から露出するＸ線専門技師に依存する。そうではなく、フィルムまたはカセットの配置が不適正な場合には、生成される画像は、不適切な方向を視覚的に反映し、そのために処理を反復することが必要となる。
【０００８】
上述の大型フィルムとは異なり、歯科用口腔内フィルムは、慣例的にパケットに事前包装して供給され、これは使い捨てが可能であるとともに、可撓性である。口腔内フィルムは、口中に配置するのに十分なほど小型でなくてはならないので、上記の種類のラベル用に使用可能な余地は少ない。従来型の歯科用口腔内フィルムの場合には、適正な方向の識別は、誤った側からの偶発的な露出を防止または制限する、パケット内の放射線不透過性背当てと反対側を向く、フィルムおよびパケット上の、隆起または型押しされた突起によって行われる。影が落とされる方向にフィルム面から突出する突起は、フィルムの常設構造であり、フィルム面に垂直な次元における方向のマーカーとして持続して、観察者が露出側を識別することができる方法を提供する。誤った側から露出が行われる場合には、結果として得られる画像は、パケット内に収納される放射線不透過の裏当てによって生じる劣化のために、見分けがつくほど診断不能（undiagnositc）である。
【０００９】
放射線不透過性裏当ては、通常はテクスチャ付重金属箔であり、誤った側からの露出が、画像内にテクスチャパターンとして現れるようにし、一方で、型押し構造によって、観察者に対する方向情報が保存かつ識別される。カセットの正しい装入によって、適正な結果が保証される医療用Ｘ線と同様に、口腔内歯科用フィルムを使用しての適正な結果は、工場におけるパケットの正しい組立てと、その後の歯科Ｘ線専門技師による正しい操作によってのみ保証される。しかしながら、フィルムの不適切な露出方向は、突起構造を使用して画像を方向づけるときには診断画像の逆転を生じるが、これの証拠となる画像の劣化は、観察者には直ちに明らかとなり、画像内の構造を誤って識別する可能性は低いとともに、追跡可能であることが保証される。方向づけ構造および誤った側からの露出を防止する構造は、現在では慣例的となっている。
【００１０】
慣例的に、歯科用口腔内フィルムは、隅を丸めた、概して長方形の様々な標準寸法で製造される。やはり慣例的に、観察の準備をするときには、マウントと呼ばれるホルダ内に、解剖学的な配置でグループ化される。標準マウントは、２つの方向のいずれかでのみフィルムを保持する。すなわち、フィルムの長い寸法を水平方向にした、以後、本出願では「ランドスケープ」方向と呼ぶ方向、およびフィルムの長い寸法を垂直に向けた、以後、本願では「ポートレイト」方向と呼ぶ方向である。
【００１１】
フィルム上またはコンピュータモニタ上で放射線写真画像を観察する慣例に合わせて、また記述の明白さと明確さのために、主方向の基準系は、それ自体、画像面に基づいている。上方とは、画像内の任意の点から画像の上端に向かう方向であり、それに対して、下方とは、その反対方向である。上方向を観察者にとって自然な方向に向けると、左および右は、観察者の左および右に対応する。垂直とは、画像内の任意の点から、上下に延びる線の方向に対応する。
【００１２】
特許４，６２５，３２５号は、従来式放射線写真フィルムと燐光体（phosphor）とを、放射線不透過材料と同じ工程において、導入する方法を記載している。そこに記載された特許取得した装置は、上記の口腔内歯科用フィルムパケットと類似するフィルムパケットを含む。この装置には、また、フィルムを露出する前に、専門技師によって挿入されるプレートを保持するためのポケットが実装されている。このプレートには、フィルムおよび放射線源に面する側に燐光体がコーティングされるとともに、反対側には放射線不透過材料が組み込まれており、これがパケット内のフィルムに隣接して配置されている。このプレートは、画像増幅装置である。露出の間に、フィルムは、フィルムに直接当たるＸ線と、同じＸ線で励起されるプレート状燐光体が放出する燐光（phosphorescence）の両方によって露出される。フィルムおよび燐光体の両方を通過したＸ線は、放射線不透過裏当てに吸収されて、それによって記録表面の下流における組織露出が制限される。パケット、フィルムおよびプレートは、治具によってフィルムおよびプレートが片側からのみ露出できるような位置に保持される。燐光体は、増幅装置としてのみ機能して、高い信号／雑音比を確保するとともに、露出当たりの放射線用量を低減する。燐光体フィルムは、潜像（latent image）を保持する記憶燐光体（storage phosphor）としては機能せず、診断ディジタル画像を生成するために走査されることはない。さらに、画像は従来のように従来型放射線写真フィルム上に記録されるので、この工程からは、ディジタル電子画像における画像方向のあいまい性の問題は生じない。
【００１３】
最近では、放射線感応性の記憶燐光体プレートが、医療用および歯科用の画像を記録するための従来型の放射線写真乳剤フィルムに置き換わり始めている。感度が優れていること、有毒な化学処理液に依存しないこと、周辺光に対して比較的感度が低いこと、再使用可能なこと、およびディジタルデータ記憶および伝送が容易であることを含む利点のすべてが、この技術の成長の刺激となっている。しかしながら、従来型フィルムについて上記した画像方向の問題、ならびに例えば画像処理ソフトウエアの使用から生じる、新規の画像方向の問題が、そのような放射線感応プレートの使用において顕在化する。上記の考察のように、フィルム技術によって生成される画像の方向は、３次元物体の存在、すなわちフィルム表面から影を落とす物体に向かって突出する突起の存在によって明白に識別されて、フィルムの面に垂直な次元における、不変の絶対基準を提供する。その他の２つの次元、上位−下位（superior-inferior）および前方−後方（anterior-posterior）は、画像内の解剖学的構造から推測される。３次元物理的物体、すなわち突起付きのフィルム、に組み込まれる画像とは異なり、既存の燐光体プレート技術によって生成される画像は、露出または観察の方向の、完全で、明白かつ固定的な標識なしに、２次元図として記憶かつ表示される。以下に考察するように、不完全な基準またはマーカーが、既存システムに組み込まれている。しかしながら、それらのシステムのいずれも、その設計から、明白、不変的、または完全ではない。
【００１４】
放射線感応プレートは、特定の、診断放射線種類、例えばＸ線に感応するが、それらは、画像を記録する目的では、可視光に対して実質的に感応しない。これらのプレートは、露出するときまでは通常のカセットなしに、通常の室内灯下で取り扱いができる。それらは、衛生や、燐光体の摩滅を低減するなどの、その他の目的で、使用前には、放射線透過性プラスチックフィルムスリーブ中に挿入されている。これらのプレートはまた再使用可能であり、ある期間にわたって、複数の画像を生成することができる。強い可視光への長期間の露出による消去、および使い捨て可能な放射線透過性プラスチックフィルムスリーブ中への再包装は、製造現場ではなく、使用現場の専門技師によって行われる。
【００１５】
スキャナーは、レーザー照射によって燐光体を励起して、Ｘ線への事前露出の量に依存する光を放出させ、その量がデータ信号として記録される。現在、市販の燐光体方式のディジタル放射線医療システムは、基板の一面に塗布されたパステルカラー燐光体層（pastel-colored phosphor layer）を支持するポリマーシート基板を有するプレートを使用している。基板の反対側の表面は、黒色を呈する。本願の目的に対しては、以後は、製造者が例えばスキャナーによって読み取るのに好ましい側面として意図するプレートの側面を、「表側」と呼ぶこととし、一方でプレートの反対側および感応層を、「裏側」と呼ぶことにする。現行技術に関係する実際的な理由で、一般に走査すべき側（「表側」）として意図されるプレートの側面は、感応層がプレート表面のより近くにあり、かつ見ることのできる側でもあり、それによって走査機構によって励起することができる。
【００１６】
感応層、例えば燐光体が片側、「表側」のみから走査に利用可能であるとしても、それを露出させて、いずれかの側からでも、またいくつかの市販のシステムにおいても等しく良好に、潜像を記録することが可能である。感応層、例えば燐光体によって記録される影が、プレート面のいずれの側からも投影された可能性があることの結果として、記録された潜像ならびにその走査から得られる可視画像は、その左右関係（laterality）についてあいまいである。したがって、双方向に対称な構造、例えば左または右の顎を記録するときには、鏡像が得られて、これらは一義的に配向されていないので、たやすく混同される可能性がある。したがって、胴（または口）の２つの側面を、画像の観察者が混同して、その結果、誤った診断および／または処置が行われる可能性がある。結果として、現在の市販の燐光体プレートシステム、例えばAir Techniques Inc.やGenderが製造するものでは、画像方向を保存するために、指定方向にプレートを包装かつ露出するための、詳細で明示的な指図が与えられる。
【００１７】
いくつかのディジタルシステムは、従来型感光乳剤フィルムに使用される技術と類似の技法を利用する。例えば、DigoraTM（Soredexが販売）システム燐光体プレートには、プレートの「裏側」上に、わずかに放射線不透過性の層が実装されており、これによって、プレートを通過して患者内部に浸入する放射線による患者照射が減少する。裏当ての放射線不透過性には、構造特徴はないが、この裏当ては、「裏側」からの照射により露出される画像を、劣化させる。
【００１８】
Scan-XT（登録商標）（Air Techniques lnc.より入手可能）およびDenoptics（登録商標）（Gendex Dentsplyから入手可能）などのシステムは、それぞれ特有のマーカーを特徴としている。このマーカーは、特徴的な形状をしており、それぞれ、燐光体の「表側」に不透過に印字された小文字「ａ」であるか、または局所領域において燐光体がないことを明らかにする小さな中空円である。これらのマーカーは、すべての露出変数から独立に、スキャナーによって、常に燐光体から一定して読み取られるように、プレートの製作時に、製造業者によって実装されている。上記の変種、すなわちScan-XおよびDenopticsのいずれかによって製作されるマーカーが存在することによる結果は、走査の間に、そのように変更されたプレートの領域からの燐光が、減少するかまたは存在しないことである。このような相対的な信号の不足は、燐光体プレート上でのマーカーの形状および場所に対応する特有の形状として、可視走査画像に反映される。
【００１９】
そのようなマーカーの、非対称であるか、またはプレートの垂直対称軸に対して非対称に配置されるか、またはその両方である任意の構造は、走査後のプレート画像において、同様に非対称な構造として表われる。さらに、このマーカー画像は、走査画像のソフトウエア水平反映（horizontal reflection）の結果として、その非対称場所、またはその内部非対称に対して、その左右関係において逆転する。露出中の放射線源の配置は、そのようなマーカーの画像の外見に対して影響を与えないので、このマーカーは、走査の完了後に、全体画像におけるリテラリティの逆転があるときの標識として好適である。
【００２０】
実際的な理由から、すなわち、市販の燐光体プレート技術システムのそれぞれによって生成される画像は、４つの方向の１つにおいてのみ表示、観察することが可能であり、その方向は、感光乳剤ベースの放射線写真フィルムマウント用の従来方向に対応しており、さらにその方向は互いに９０度の回転のステップによって分離されているので、本願における画像（およびプレート位置）の回転変換も、９０度ステップ、またはその倍数に制約される。任意の画像に対して考慮すべき方向の可能な組は、２つの「ランドスケープ」および２つの「ポートレイト」の可能性、すなわちそれぞれの範疇に対して、１つの右側上向きおよび１つの上側下向きである。
【００２１】
図１に示す構成は、歯科用Ｘ線プレートを使用して、患者の下顎および歯の画像、Ｘ線シャドーグラムの生成を可能にする方法の概略を示している。この特定の生理学的な構造は、上記の対称問題を説明するものである。しかしながら、この問題は、ほとんどの生物学システム、特に人および動物に存在する本質的な対称性の結果として、多くの生理学的構造に関係して発生するものである。次に図１の構成を、従来型ディジタル歯科用Ｘ線プレートと関係して説明する。後に、「詳細な説明」において、図１の構成を、この構成およびその他の好適な構成において実施可能な、本発明の観点と関係して参照する。
【００２２】
図１に示す解剖学的構造は、人の下顎（mandible）、すなわち、１組の歯１０２がその中に位置する、人の下顎１０１である。分かりやすくするために、図示はしていないが、下顎１０１および歯１０２は、軟部組織、その他で覆われた、生体患者身体の部分であると仮定することができる。この特定の患者は、診断的に重大な状態、例えば、中実円１０３で表した、膿瘍（abscess）を有する。歯科技工士、歯科医またはその他が、従来型ディジタル歯科用Ｘ線プレート１０４を、患者の口内のいずれかの側の、３本の奥歯１０５のシャドーグラムを撮像するのに好適な位置に設置する。実際の実行において、プレート１０４は、明瞭な画像を生成するように、シャドーグラムを記録する歯に近接して配置することになるが、説明の便宜のために、プレート１０４は、患者の口腔の、左側の歯と右側の歯の間に、中心をおいて示してある。最後に、Ｘ線源の代替的な２つの場所、「発生源Ｌ」および「発生源Ｒ」を示してある。Ｘ線源、「発生源Ｒ」は、図２および３に示す画像を生成するのに対して、Ｘ線源「発生源Ｌ」は、図４および５に示す画像を生成する。次に、必要に応じて図１に戻って参照しつつ、図２、３、４および５について記述する。
【００２３】
図２、３、４および５は、２つの異なる場所、例えば「発生源Ｌ」および「発生源Ｒ」に位置する発生源のそれぞれを使用して、２つの側のそれぞれから露出される従来型ディジタルＸ線プレートを使用して生成され得る４つの画像を示している。基準従来型市販プレートは、中空円マークをプレートの「表側」に有しているので、画像のそれぞれにおいて、１つの隅に、中空円２０１が現れる。発生源「発生源Ｌ」で生成される画像は、奥歯１０５の画像を含み、「発生源Ｒ」によって生成される画像は、奥歯１０５の画像２０５と診断的に重大な状態１０３の画像２０３とを含む。従来式のディジタルＸ線プレートの使用においては、中空円は、プレートの「表側」に存在して、専門技師、歯科医またはその他が、プレートのその側を露出源の方向に向けるように誘導することを意図している。しかしながら、そのような首尾一貫した使用は、保証されてはいない。
【００２４】
プレートが、一貫して片側（例えば、「表側」）だけから露出される場合には、このマーカーは、水平方向に画像を反転ことにより導入される混乱を解消することによって、左右関係の絶対基準を提供することになる。このような反映は、中空マーカーを、画像の下方右隅または上方左隅から、「ランドスケープ」方向にある画像における、下方左隅または上方右隅へと変位させることになる。この変位は、「ポートレイト」方向に対する逆転となる。推奨はされるとともに、最良の方法と整合性はあるが、そのような一貫した、感応する側からのプレートの露出は、プレートのスリーブ中への装入においても、あるいは露出それ自体の間のプレートの配置においても、保証はされない。
【００２５】
転置（translocation）に関する特定の予測可能な規則が、放射線写真プレート、それが保持する画像、プレートまたはその画像における対称の長軸および短軸、ならびに２種類の運動、画像の軸に直角の垂直面を介する反映（reflection）、およびその対称の長軸と単軸の交差点におけるプレートの面に直角な軸の回りの９０度回転の、全組合せで構成されるシステムを、支配することに留意すべきである。
このシステム内の画像の反映は、２つのモードの１つを介して発生する可能性がある。第１のモードは、感応層、例えば燐光体の上に、プレートの片側、例えば「裏側」から影を落とすこと、すなわち画像を記録すること、および感応層の反対の観点、例えば、「表側」から読み取ることを含む。各画像について、このモードの１例のみが、発生することができる。この反映のモードを、本願においては、以後、「露出前」反映と呼ぶことにする。第２のモードは、任意の選択画像の左右を反映する、画像処理ソフトウエアツールの使用を伴う。このモードの反映の事例数は、理論的には制限がない。このモードの反映は、本願においては、以後、「ソフトウエア」反映と呼ぶことにする。
【００２６】
回転には２つの異なるモードがある。第１のモードは、そのマーカーを含めたプレートの、撮像しようとする物体に対する、露出前の物理的な回転であり、「ランドスケープ」から「ポートレイト」へ、そして継続する場合には、「ランドスケープ」に戻る方向の変化に伴うものである。この回転のモードを、本願においては以後、「露出前」回転モードと呼ぶ。回転の第２のモードは、いくつかの方法で発生することがある。露出後に、小さくて、固定されていない物体であるプレートは、移動が自由で、方向は無作為となる。これらのプレートは、その後、そのスリーブから取り出されて、スキャナーのプレート保持機構内に適合するように任意に回転されるが、この段階における制約は、「表側」がセンサの方向に向かなくてはならないことである。コンピュータスクリーン上に画像が生成されると、オペレータは、画像プロセッサを使用して、画像を回転させることによって、画像を適正な上位−下位方向に位置合わせする。
【００２７】
このソフトウエア媒介回転は、９０度の倍数に限定されており、これは、必要に応じて、適正な「ランドスケープ」および「ポートレイト」方向、ならびに上位−下位関係を達成するための機構である。上述した３つの回転のすべては、マーカーの場所とシャドーグラムの詳細との関係を維持する。それらは、左右関係も維持する。第２の回転モードを含む、いくつかの回転の機構は、感応層が露出された後に行われ、本願では、以後はこれを「露出後」回転モードと呼ぶ。「露出後」回転が、１８０度の回転を生じるときには、結果として生じる変換は、プレートの長軸および単軸の交差に位置する点を介しての、記録画像全体の反映と同等である。
【００２８】
以下に示す、本発明の観点による構造が、正しい画像方向と誤った画像方向とを明白に同定する方法の、「詳細な説明」における議論をよりよく理解するために、最初に可能な画像の転置について考察する。
この出願の文脈においては、２つの反映のモードおよび２つの回転のモードは、物理法則によって、また一般にディジタル放射線システムを備えた、画像プロセッサのソフトウエアに含まれるグラフィック機能によって可能となる、方向変換の集合を含む。この例の目的に対して、また従来式のマーカーのみでは、様々な変換を区別することができないことを実証するために、先に定義した、マーカー３８１１を、「ランドスケープ」方向におけるプレートの、「表側」からみたときの下方右隅に配置する。図３８において、同じ行（例えば、３８０１、３８０２、３８０３および３８０４；または３８０５、３８０６、３８０７および３８０８）内の画像３８０１、３８０２、３８０３、３８０４、３８０５、３８０６、３８０７および３８０８は、それらの隣接画像と、各ステップに対して１回の９０度「露出後」回転によって関係づけられる。一方で、同じ列（例えば、３８０１および３８０５、その他）内の画像は、プレートの垂直面に直角な垂直面を介しての「ソフトウエア」反映によって関係づけられる。
【００２９】
画像３８０１、３８０２、３８０３および３８０４、また画像３８０５、３８０６、３８０７および３８０８が示すように、回転のみによっては、それぞれが、画像の「ポートレイト」および「ランドスケープ」方向の両方に対する、２つのマーカー３８１１位置だけが可能になる。すなわち、画像が回転だけする場合（すなわち、画像が図３８において同一行にある）には、「ランドスケープ」方向に対するマーカー３８１１の２つの可能な位置３８０１および３８０３、すなわち下方右隅および上方左隅があり、また「ポートレイト」方向におけるマーカーの２つの可能な位置３８０２および３８０４、すなわち画像の下方左隅および上方右隅がある。また、「ポートレイト」および「ランドスケープ」方向の両方に対して、面内の回転と、垂直面操作による反映とを組み合わせると、前述のように、可能なすべてのマーカー位置を生成するのに十分であることが、図３８から明らかである。さらに、奇数回の反映（すなわち、図３８における異なる行への画像の最終移動が発生するもの）を含むすべての経路は、偶数の反映を含む（すなわち、過程において生成される行の最終移動はない）経路と定性的に異なることも明らかである。
【００３０】
したがって、画像３８０１のおけるように、「ランドスケープ」方向における下方右隅のマーカー３８１１の原位置を仮定すると、原画像３８０１に対して、画像３８０３の左右関係は逆転していないが、画像３８０９のそれは逆転している。さらに、原画像３８０９、３８１０の知識なしに、プレートのマーカー位置および「ポートレイト」対「ランドスケープ」方向の観察によって、その左右関係を推測することが可能である。下顎および上顎の歯は、十分に大きさ差があり、放射線写真画像においてそれらを認識し、それによって上位−下位次元の方向を保存することができる。同様にして、長い矢印３８１０が上位方向の認識可能な指標として機能し、短い矢印３８０９が前方方向の認識可能な指標として機能すると仮定すると、画像３８０１および３８０５だけが、上位−下位次元に対して適正に配向された画像を表す。さらに、これらの２つの内で、画像３８０１だけが、影を落としている物体の元の左右関係を保存している。さらに状況を複雑化するのは、プレートが「裏側」から露出されて、「表側」から見られており、それによって画像３８０５が得られた可能性があることである。この画像は、画像３８０１の「正しい」方向で見るためには、水平方向に反映されなくてはならない。
【００３１】
図２、３、４および５における画像の解析の目的に対して、この患者のディジタル歯科Ｘ線プレート１０４を露出する専門技師、歯科医またはその他が、上記に定義した「表側」を、中空円、その結果としてプレートの感応側が、位置「発生源Ｌ」にあるＸ線源の方向に向くとともに、位置「発生源Ｌ」にあるＸ線源の方向から見て、プレート１０４の下方右隅にくるように配向したと仮定する。図３は、そのように配向されたプレートが、「発生源Ｒ」で示す場所のＸ線源によって露出されるときに、プレート１０４の「表側」から読み取られる画像である。そのような画像を読み取る歯科医が、誤った「側」、すなわちプレートの「裏側」から露出が行われたことを知っている場合には、この歯科医は、画像処理ソフトウエアを使用して、画像を水平方向に反転することによって、図２に示すように画像を再配向することができる。マーク２０１は、画像の右側から左側へと転置される。同様に配向されているが、「発生源Ｌ」で示す場所のＸ線源によって露出される、同一のプレート１０４は、プレートの感応側から読み取られるときには、図５に示す画像を生成する。
【００３２】
図４の画像は、図４の画像を水平方向に反転する画像処理ソフトウエアの操作によって、故意ではなく生成される可能性がある。図２および４、ならびに図３および５は、それぞれ、プレート１０４がどちらの側から露出されたかを知ることなしには区別不能であるので、図２および３における画像のみに見られる、状態１０３は、患者の顎のどちら側であるかを判定することはできない。状態１０３が、外部から観察可能な症状をまったく生成しない場合には、Ｘ線画像が、治療の場所を決定するために歯科医が頼ることのできる、唯一の証拠となることがある。あいまいさが記録中に導入され、それは患者を放射線に再び露出することなしには解決することができない。現行の形態のディジタルプレート技術は、画像の方向が確認できることを保証しない。現行技術は、その代わりに、専門技師がほとんどの場合にフィルムを正しく露出するという統計的な見込みに頼っている。しかしながら、画像中には、露出方向の明白なマーカーは存在しない。以下の４つの例は、内部基準の欠如の問題を示している。
【００３３】
１．その他の患者の情報と独立に見ることのできる１つの画像だけが利用可能な場合には、観察者は、「表側」から露出されたと仮定するによる以外には、画像の正しい方向を識別することができない。
２．専門技師が、観察者が知らない、フィルムを「裏側」から露出するという誤りを一貫して犯している場合には、観察者は、画像を比較するときに、正しく露出され配向された画像（事実）が、誤って配向されている（これは正しい事実ではない）と結論することになり、したがって問題を複雑化する。
３．不平不満がある従業員または能力のない従業員が、誰もそれに気づくことなく、あるいは問題を追跡する方法なしに、記録中の画像の、見かけの方向を変更することによって、記録を台無しにする可能性がある。
４．不正な意図を有する人物が、画像が身体の反対側を示すかのように見えるようにするために、意図的にプレートを「裏側」から露出する可能性がある。
【００３４】
図６、７、８および９の解析は、プレートの初期方向を除いて、図２、３、４および５とそれぞれ同様である。これらの画像は、中空円、したがって結果的にプレート１０４の感応側を、位置「発生源Ｌ」にあるＸ線源の方向に向けるが、位置「発生源Ｌ」にあるＸ線源の方向から見て、プレートの上方左隅にくるように配向したプレート１０４によって生成される。図１０、１１、１２および１３は、中空円、したがって結果的にプレート１０４の感応側を、位置「発生源Ｒ」にあるＸ線源の方向に向けるが、位置「発生源Ｒ」にあるＸ線源の方向から見て、プレートの上方右隅にくるように配向したプレート１０４によって生成される画像を表している。
【００３５】
図１０は、「発生源Ｒ」によって生成された画像を示し、この画像においては、開放円２０１が下方右隅にある。図１１は、画像処理ソフトウエアを使用して、図１０の画像を水平方向に反転させることにより故意ではなく生成される可能性がある。図１２は、「発生源Ｌ」を使用してプレートを露出した結果を示す。歯科医が予想する方向から画像を見るために、図１２の画像は、水平方向に反転させて、図１３の画像を生成することができる。図２、３、４および５に関係して上述した状況と同様に、図１０および１２は、図１１および１３がそうであるように、本質的に区別不能である。
図１４、１５、１６および１７の解析は、プレートの初期方向を除いて、図１０、１１、１２および１３とそれぞれ同様である。これらの画像は、中空円を、したがって結果的にプレート１０４の感応側を、位置「発生源Ｒ」にあるＸ線源の方向に向けるが、中空円が、位置「発生源Ｒ」にあるＸ線源の方向から見て、プレートの上方左隅にくるように配向したプレート１０４によって生成される。
【００３６】
発明の概要
放射線記録プレートを、表側と裏側の両方からの露出時に、画像を形成するように構築、配設することができる。このプレートには、露出後に画像内で検出可能であり、表側および裏側のいずれからプレートが露出されるかを示す、マーカーを含めることができる。マーカーには、プレートがいずれかの側から露出されるときに、画像の読み取りと干渉しない領域をコーティングする、放射線に対して不透過性の媒体を含めることができる。プレートは、Ｘ線に感応してもよく、媒体には、重量元素、重量元素を含む合金、重量元素を含む化合物または重量元素の塩の１つを含めることができる。媒体は、Ｐｂ、Ｓｎ、Ｂｉ、ＩおよびＢａの１つとすることができる。この媒体は、領域に塗布される結合剤に懸濁させた重金属としてもよい。マーカーは、少なくとも１つの軸の回りに非対称とすることができる。マーカーは、正常画像方向に対して垂直軸の回りに水平非対称とするか、またはマーカーは、正常画像方向に対して水平軸に回りに垂直非対称とすることができる。マーカーには、さらに裏側マーカーを含めて、プレート上の画像内にこの裏側マーカーが出現すると、裏側から露出されたことを示すようにすることができる。
【００３７】
プレートは、表側からのみ読み取り可能な、放射線に感応する層を有してもよく、裏側マーカーには、感応層の読み取りを増強する材料と、感応層の読み取りを減弱させる材料の、少なくとも１つをさらに含めてもよい。このような裏側マーカーには、設定領域内のプレートの露出を増強する材料と、設定領域内のプレートの露出を減弱させる材料との少なくとも１つをさらに含めてもよい。裏側マーカーには、重量元素、重量元素を含む合金、重量元素を含む化合物、または重量元素の塩の１つをさらに含めることができる。この媒体は、Ｐｂ、Ｓｎ、Ｂｉ、ＩおよびＢａの１つとすることができる。
【００３８】
プレートには、表側マーカーをさらに含めて、プレート上の画像中のこのマーカーが出現すると、表側から露出されたことを示すことができる。このプレートは、少なくとも表側から読み取り可能な、放射線に感応する層をさらに有してもよく、表側マーカーは、放射線に感応する層内に画定される空隙と、感応層を読み取るときにマーカーの領域内に戻される信号を増強する材料と、感応層を読み取るときにマーカーの領域内に戻される信号を減弱させる材料との、少なくとも１つを含む。プレートは、放射線に感応する層を、励起波長で励起して、戻り信号波長での、戻り信号を生成することによって、表側からのみ読み取り可能とすることが可能であり、表側マーカーは、誘起信号波長および戻り信号波長の少なくとも１つに対して機能的に不透過性である。表側マーカーは、重量元素、重量元素を含む合金、重量元素を含む化合物、または重量元素の塩の１つをさらに含むことができる。この媒体は、Ｐｂ、Ｓｎ、Ｂｉ、ＩおよびＢａの１つとすることができる。表側マーカーは、放射線に感応する層内に画定される空隙をさらに含むことができる。
【００３９】
マーカーは、少なくとも１つの軸の回りに非対称であり、かつマーカーは、表側マーカーおよび裏側マーカーをさらに含むことができる。このマーカーは、正常な画像方向に対して、垂直軸の回りに水平非対称であるか、または水平軸の回りに垂直非対称である。この場合には、表側マーカーは、表側から見るときに第１の方向を指す矢印の形状を有するように画定された領域をさらに含んでもよい。裏側マーカーは、表側から見るときに、第１の方向と異なる第２の方向を指す矢印の形状を有するように画定された領域をさらに含んでもよい。裏側マーカーは、プレートが裏側から露出されて、表側から読み取られるときに、表側マーカーを覆い隠すように配置することができる。プレートは別の感応層を含んでもよく、この場合には、裏側マーカーを、感応層と他方の感応層との間に配置し、プレートは、他方の感応層に対して別の表側マーカーをさらに含む。
【００４０】
放射線記録プレートが放射線に露出された側を識別する方法には、プレート内のプレートの画像領域と実質的に干渉しない位置に、画像中に出現することによってプレートが露出された側を識別する、マーカーを組み入れること、プレートを放射線に露出すること、およびプレートの露出された側を識別するために画像を観察することを含めることができる。この方法には、マーカーをプレートの回転方向を表示するように配設すること、およびプレートの回転方向の表示を得るために画像を観察することをさらに含めることができる。この方法には、画像処理ソフトウエアを使用して画像を観察することをさらに含め、この画像処理ソフトウエアが、マーカーを認識して、プレートの画像を臨床的に予想される方向を有するように再配向することができる。この方法には、画像に、画像が奇数回、再配向されたかどうかの表示を保存することをさらに含めることができる。また本方法では、マーカーを、ソフトウエアが画像を処理したことを示す置換マーカーで置き換えること、および画像に置換マーカーを保存することを含めることができる。また本方法では、画像に、画像が奇数回、再配向されたかどうかの表示を保存することを含めることができる。
少なくとも１つの放射線感応層を有する放射線感応プレートを製作する方法には、放射線に感応するフィルムを、放射線感応プレートの第１の側に設けること、および結合剤中への重金属の懸濁剤を、放射線感応層の、第２の側の一領域に塗布することを含めることができる。
【００４１】
詳細な説明
添付の図面は、倍率変更するために描くものではない。図面においては、様々な図に示す、それぞれの同一またはほぼ同一の構成要素は、同一の数字で表してある。分かりやすくするために、すべての図面においてすべての構成要素に、ラベルはつけていない。
本発明の実施態様の様々な観点を、以下に詳細に説明する。この発明は、その応用において、以下の説明に記載されるか、または図面に示される構成要素の構築および配設の詳細に限定はされない。本発明では、その他の実施態様が可能であり、また本発明は、様々な方法で、実践すること、または実施することが可能である。また、本明細書に使用する語法および用語は、説明を目的とするものであり、限定として見なすべきではない。本明細書における、「含む（including）」、「備える（comprising）」、または「有する（having）」、「包含する（containing）」、「伴う（involving）」およびそれらの変形形態の使用は、それらの語の後に列挙する項目、およびそれらの均等物とともに追加の項目を包含することを意図するものである。
【００４２】
本発明の実施態様の観点によれば、放射線感応プレートの片側の露出は、画像内に１つの標識パターンを生成し、これに対して、放射線感応プレートの反対側の露出は、画像内に異なる標識パターンを生成する。放射線感応プレート上に記録される標識パターンは、個別の露出によって記録されるデータパターンの不変部分となる。したがって、データセットが、放射線感応プレート、ディジタル画像データファイル、または表示もしくは印刷画像に具現されるかどうかによらず、標識パターンは、記録の不変部分を形成する。標識パターンは、画像を一面に覆っても、局所化してもよい。それは、プレートの基板を介して露出される画像を使用不能とするか、または画像品質をほんのわずかに劣化させるか、または、例えば小さくして、長方形プレートの隅などの、主画像形成領域の外側に配置することによって、いずれにせよ画像またはデータセットの品質を劣化させないように配置することができる。
【００４３】
標識パターンを形成する手段は、製造時にそこに設置されるプレートの常設部分であるので、プレートに露出の方向をマークするのに、一回または反復的なオペレータ行為は必要とせず、「誤った側」から露出されるときに画像を使用不能にするタイプの標識を使用しない限り、特定の側からのプレートの露出を確実にするためにプロトコルを必要とせず、さらに、そのようなプレートから生成される任意のデータセットに露出の方向の表示が明白に埋め込まれる。「誤った側」から露出されるときに画像を使用不能にするタイプの標識を使用しない限り、画像配向の目的では、特殊なプロトコルも保護スリーブの仕様も必要ではない。
【００４４】
標識パターンは、左右関係、すなわち画像の「左右像（handedness）」を同定するのにさらに使用することができる。画像の左右関係の保存が重要な場合があるのは、人体およびほとんどの高等動物に本質的な対称性のために、患者の左切歯と患者の右切歯などの、特定の構造を単独で、すなわちその他の識別の情報源なしに、区別するのは困難であるからである。口腔歯科放射線写真の場合には、左右関係は、露出の方向および写し出される構造によって完全に定義される。これは、口腔歯科Ｘ線用の放射線源は、常に、患者の口の外に位置しており、感応プレートは、常に、患者の口の内部に位置するからである。
上記の特徴を有する標識パターンを生成するとともに、可能な転置のそれぞれを明白に識別する、いくつかの異なる構造を、次に詳細に記述する。２つの独立で、重複のないマーカーの範疇があり、それは「表側」マーカーおよび「裏側」マーカーである。
【００４５】
「表側」マーカーは、「表側」すなわちプレートが読み取られる側から露出されるプレート上の画像にマークを生成するマーカーであり、これに対して、「裏側」マーカーは、「裏側」から露出されて、続いて「表側」から読み取られるプレート上の画像にマークを生成するマーカーである。一般に、マーカーパターンは、プレート感応層と露出放射線源との中間に配置される、適当なパターンを有する材料によって生成することが可能である。これらのパターンは、代替選択肢として、走査工程中に、燐光体の合成燐光の励起と記録を行うことによって、例えば、燐光体層に孔を空けたり、それを覆い隠すことによって、生成することができる。例えば、任意適当な工程を使用して、製造工程の間に、材料をプレート表面に、コーティング、印刷、塗布、積層、昇華、接着、リベット接合などすることができる。材料を選択することによって、例えば異なる燐光体を使用することによって、覆いをした領域のプレートに到達する放射線を、部分的もしくは完全に阻止するか、または増強することができる。Ｘ線を阻止するとともに、積層形態、塗料、またはインクとしてプレートに有効に適用できる、一般的な材料は鉛である。その他の重金属またはその他の重量元素も、様々な形態、例えば鉛、錫、ビスマス、バリウム、その他の箔、顆粒なども使用することもできる。ここで、重金属および重量元素には、一般に、周期律表の第４列からの任意の元素およびそれより重い元素が含まれる。
【００４６】
本発明の原理が適用可能な種類のプレートの一例が、歯科用Ｘ線に感応する記憶燐光体材料がコーティングされたプラスチック基板を含む、歯科用プレートである。このプレートは、大型シートまたは連続ウエブとして製造されて、次いで仕上げ寸法と形状に金型切断される。
次に簡単な実施態様について述べるが、この実施態様においては、片側すなわち「表側」から読み取り可能な、前述のようなプレートは、標識パターン形成材料、すなわちマーカーを有し、このマーカーは、プレートが読み取られる感応層面と反対側の面に組み込まれている。これが、「裏側」マーカーである。
【００４７】
この実施態様においては、マークは、その一隅の「裏側」に印刷される。このマークは、鉛含浸ペイント、またはその他好適な材料を使用して、印刷される。その他の好適な構築を、以下により詳細に記述する。プレートの「表側」から露出されたときには、結果として得られる画像にはマークは含まれない。しかしながら、プレートの「裏側」から露出されたときには、マークが印刷されているプレートの隅に対応する画像の部分に、未露出マークが形成される。生成された画像は、マークを含んでおり、図２〜３３に示す、任意の画像の形態をとる可能性がある。このマークは特別な形状にする必要がないのは、単に画像におけるマークの存在または不在から情報を導くことができるからである。プレートを片側または反対側から露出することによって生成される画像は、例えば、図１８，１９、２０および２１と関連して以下に記述するのと同じ方法で区別可能である。この実施態様によれば、「表側」マーカーだけを使用する従来式媒体と異なり、「裏側」マーカーだけが必要である。
【００４８】
第２の実施態様においては、「表側」マーカーおよび「裏側」マーカーの両方が存在してもよい。例えば、標識形成材料の異なるパターンを、片側から読み取り可能なプレートの反対側に設けることができる。代替選択肢としては、「表側」マーカーは、燐光体に設けた１つまたは２つ以上の孔としてもよい。この実施態様は、形成された標識パターンは、結果として得られる画像を読み取る人に、どちらの側からプレートが露出されたかを知らせることができるが、これに対して、第１の実施態様のプレートが標識パターンを形成しない方向から露出されると、この画像は、マーカーを含まないプレート、または水平方向に反転されるプレートによって生成される画像と区別ができない。
【００４９】
「表側」マーカーと「裏側」マーカーの両方を組み入れた、本発明の実施態様では、画像化された構造の方向を、その構造に対する放射線源の位置および放射線感応プレートの位置が未知のときにでも、完全に表示することができる。
プレートが、第２の実施態様と関係して述べたように、「表側」マーカーと「裏側」マーカーの両方でマークされている場合には、プレートの露出の方向は、オペレータによる介入または特別の行為なしに、画像に明白に記録される。さらに、露出中にプレートがその中に配置されるカセットまたはスリーブには、片側または両側に放射線不透過マークを含めることにより、患者の左側または前側などの絶対基準に対する、カセットまたはスリーブの正しい方向を明白に示すことができる。
【００５０】
図１８、１９、２０および２１は、本発明の観点のこの実施態様による、ディジタルＸ線プレートを使用して生成することのできる、４つの画像であって、例えば「発生源Ｌ」および「発生源Ｒ」に位置する、２つの異なる位置の発生源のそれぞれを使用して、両側それぞれから露出される画像を示している。この実施態様は、プレートのＸ線感応側の、１つの隅に、中空円マークを有するとともに、プレートの反対側の、この場合には同じ隅に、忠実円マークを有する。この実施態様の使用に際しては、どの側面が発生源に面するかについて注意を払う必要がないのは、以下に説明するように、プレートを露出する側に応じて、異なるマークが画像上に現れるからである。
【００５１】
図１８、１９、２０および２１の画像を解析する目的で、患者のディジタル歯科用Ｘ線プレート１０４を露出する専門技師、歯科医またはその他が、中空円、その結果としてプレートの感応側を、「発生源Ｌ」の位置にあるＸ線源に配向するとともに、中空円を位置「発生源Ｌ」にあるＸ線源の方向から見てプレート１０４の下方右隅に配向したと仮定する。この実施態様において、中実円は、プレート１０４の反対側の、中空円と同じ隅にある。図１９は、そのように配向されたプレートが、「発生源Ｒ」で示された場所にあるＸ線源によって露出されるときに、プレート１０４の感応側から読み取られる画像である。そのような画像を読み取る歯科医は、閉止円１８０１の存在から、その画像がプレート１０４の反対側から露出されたことを認識し、画像処理ソフトウエアを使用して、画像を水平方向に反転させることによって再配向して、それによって中実円１８０１が、図１８に示すように、画像の予想される隅に現れるようにすることになる。
【００５２】
上述のように、中実マークはプレート１０４の底辺左隅に配向されており、画像が適切に配向されるとき、すなわち構造がその自然な、予想される方向に描かれるように配向されときには、中実マークは、その隅に現れなくてはならないことがわかっていることに留意されたい。したがって、図１８は、プレート１０４の裏側から露出された画像の正しい方向を表わすことが明らかである。同じように配向されているが、「発生源Ｌ」で示す位置のＸ線源から露出される、同一のプレート１０４は、プレート１０４の感応側から読み取られるとき、図２１に示す画像を生成する。図２０の画像は、図２１の画像を水平方向に反転する画像処理ソフトウエアの操作によって、故意ではなく生成される可能性がある。しかしながら、上述のように開放マークが、プレート１０４の下方右隅に位置しているので、図２１は正しい方向でなければならないことがわかる。図１８および２１は、明確かつ明白に、正しく配向された画像であるので、画像を読み取る専門技師、歯科医またはその他の人は、状態２０３は、患者の右側であることを、確信をもって知ることができる。
【００５３】
図１８、１９、２０および２１のように、図２２、２３、２４および２５は、本発明の観点のこの実施態様によるディジタルＸ線プレートを使用して生成することのできる４つの画像であって、例えば「発生源Ｌ」および「発生源Ｒ」に位置する、２つの異なる場所の発生源のそれぞれを使用して、両側それぞれから露出される画像を示している。この実施態様は、プレートのＸ線感応側の、１つの隅に、中空円マークを有するとともに、プレートの反対側に、この場合には同じ隅に、中実円マークを有する。結果として得られる画像によって図２２、２３、２４および２５に示す実施態様においては、これらのマークは、以下に説明するように、底辺隅ではなく、上辺隅に位置する。この実施態様の使用に際しては、以下に説明するように、プレートが露出される側に応じて、生成される画像に異なるマークが現れるので、どちらの側が発生源に面するかについて注意を払う必要がない。
【００５４】
図２２、２３、２４および２５の画像を解析する目的で、患者のディジタル歯科用Ｘ線プレート１０４を露出する専門技師、歯科医またはその他が、中空円、その結果としてプレートの感応側を、「発生源Ｌ」の位置にあるＸ線源に向けるとともに、中空円を、位置「発生源Ｌ」にあるＸ線源の方向から見てプレート１０４の上方左隅に向けたと仮定する。この実施態様において、中実円は、プレート１０４の反対側の、中空円と同じ隅にある。図２３は、そのように配向されたプレートが、「発生源Ｒ」で示す位置にあるＸ線源によって露出されるときに、プレート１０４の感応側から読み取られた画像である。そのような画像を読み取る歯科医は、閉止円１８０１の存在から、その画像がプレート１０４の反対側から露出されたことを認識し、画像処理ソフトウエアを使用して、画像を水平方向に反転させることによって再配向して、それによって中実円１８０１が、図２２に示すように、画像の予想される隅に現れるようにすることになる。
【００５５】
上述のように、中実マークは、プレート１０４の底辺左隅に配向されており、画像が適切に配向されるときには、その隅に現れなくてはならないことがわかっていることに留意されたい。したがって、図２２は、プレート１０４の裏面から露出された画像の正しい方向を表すことが明らかである。同じように配向されているが、「発生源Ｌ」で示す位置のＸ線源から露出される、同一のプレート１０４は、プレート１０４の感応側から読み取られるとき、図２５に示す画像を生成する。図２４の画像は、図２５の画像を水平方向に反転する画像処理ソフトウエアの操作によって、故意ではなく生成される可能性がある。しかしながら、上述のように開放マークが、プレート１０４の下方右隅に位置しているので、図２５は正しい方向でなければならないことがわかる。図２２および２３は、明確かつ明白に、正しく配向された画像であるので、画像を読み取る専門技師、歯科医またはその他の人は、状態１０３は、患者の右側であることを確信をもって知ることができる。
【００５６】
図２６、２７、２８および２９は、本発明の観点の、この実施態様によるディジタルＸ線プレートを使用して生成することのできる４つの画像であって、例えば「発生源Ｌ」および「発生源Ｒ」に位置する、２つの異なる場所の発生源のそれぞれを使用して、両側それぞれから露出される画像を示している。この実施態様は、プレートのＸ線感応側の、１つの隅に、中空円マークを有するとともに、プレートの反対側に、この場合には同じ隅に、中実円マークを有する。この実施態様の使用に際しては、以下に説明するように、プレートが露出される側に応じて、生成される画像に異なるマークが現れるので、どちらの側が発生源に面するかについて注意を払う必要がない。
【００５７】
図２６、２７、２８および２９の画像を解析する目的で、患者のディジタル歯科用Ｘ線プレート１０４を露出する専門技師、歯科医またはその他が、中空円、その結果としてプレートの感応側を、「発生源Ｒ」の位置にあるＸ線源に向けるとともに、中空円を、位置「発生源Ｒ」にあるＸ線源の方向から見てプレート１０４の下方右隅に向けたと仮定する。この実施態様において、中実円は、プレート１０４の反対側の、中空円と同じ隅にある。図２６は、そのように配向されたプレートが、「発生源Ｒ」で示す場所のＸ線源によって露出されるときに、プレート１０４の感応側から読み取られる画像である。そのような画像を読み取る歯科医は、中空円２０１の存在から、その画像がプレート１０４の感応側から露出されたことを認識することになる。しかしながら、この画像は、画像を水平方向に反転させて、図２７に示すように、中空円２０１を画像の下方左隅に現れるようにすることによって、故意ではなく、あるいは故意に再配向される可能性もある。
【００５８】
上述のように、中実マークはプレート１０４の底辺右隅に配向されており、画像が適切に配向されるとき、すなわち構造がその自然な、予想される方向に描かれるように配向されるときには、それが、その隅に現れなくてはならないことがわかっていることに留意されたい。したがって、図２６は、プレート１０４の感応側から露出された画像の正しい方向を表わすことが明らかである。同じように配向されているが、「発生源Ｌ」で示す場所のＸ線源から露出される、同一のプレート１０４は、プレート１０４の感応側から読み取られるとき、図２８に示す画像を生成する。図２９の画像は、プレートの「裏側」からプレート１０４を露出することによって生成される画像に予想されるように、閉止円１８０１を、画像の下方左隅に配置するように、図２８の画像を水平方向に反転する、画像処理ソフトウエアの操作によって生成することが可能である。上述のように閉止マークが、プレート１０４の下方左隅に位置しているので、図２９は正しい方向でなければならないことがわかる。図２６および２９は、明確かつ明白に、正しく配向された画像であるので、画像を読み取る専門技師、歯科医またはその他の人は、状態１０３は、患者の右側であることを、確信をもって知ることができる。
【００５９】
図２６、２７、２８および２９のように、図３０、３１、３２および３３は、本発明の態様のこの実施態様によるディジタルＸ線プレートを使用して生成される可能性のある４つの画像であって、例えば「発生源Ｌ」および「発生源Ｒ」に位置する、２つの異なる場所の発生源のそれぞれを使用して、両側それぞれから露出される画像を示している。この実施態様は、プレートのＸ線感応側の、１つの隅に、中空円マークを有するとともに、プレートの反対側に、この場合には同じ隅に、中実円マークを有する。結果として得られる画像によって図３０、３１、３２および３３に示す実施態様においては、これらのマークは、以下に説明するように、底辺隅ではなく、上辺隅に位置する。この実施態様の使用に際しては、以下に説明するように、プレートが露出される側に応じて、生成される画像に異なるマークが現れるので、どちらの側が発生源に面するかについて注意を払う必要がない。
【００６０】
図３０、３１、３２および３３の画像を解析する目的で、患者のディジタル歯科用Ｘ線プレート１０４を露出する専門技師、歯科医またはその他が、中空円、その結果としてプレートの感応側を、「発生源Ｒ」の位置にあるＸ線源に向けるとともに、中空円を、位置「発生源Ｒ」にあるＸ線源の方向から見てプレート１０４の上方左隅に向けたと仮定する。この実施態様において、中実円は、プレート１０４の反対側の、中空円と同じ隅にある。図３０は、そのように配向されたプレートが、「発生源Ｒ」で示す場所にあるＸ線源によって露出されるときに、プレート１０４の感応側から読み取られた画像である。そのような画像を読み取る歯科医は、中空円２０１が存在することから、それがプレート１０４の感応側から露出されたことを認識する。しかしながら、この画像は、画像を水平方向に反転させて、図３１に示すように、中空円２０１を画像の上方右隅に現れるようにすることによって、故意ではなく、あるいは故意に再配向される可能性もある。
【００６１】
ここで、中空マークは、上述のように、プレート１０４の上方左隅に配向されており、画像が適正に配向されるときには、その隅に現れなくてはならないことがわかることに留意されたい。したがって、図３０は、プレート１０４の感応側から露出された画像の正しい方向を表すことが、明らかである。同様に配向されているが、「発生源Ｌ」で示す場所のＸ線源から露出された、同一のプレート１０４は、プレート１０４の感応側から読み取られるときには、図３２に示す画像を生成する。図３３の画像は、プレートの「裏側」からプレート１０４を露出することによって生成される画像に対して予想されるように、閉止円１８０１を、画像の上方右隅に配置するように、図３２の画像を水平方向に反転する、画像処理ソフトウエアの操作によって生成することが可能である。上述のように閉止マークが、プレート１０４の下方左隅に位置しているので、図３３は正しい方向でなければならないことがわかる。図３０および３３は、明確かつ明白に、正しく配向された画像であるので、画像を読み取る専門技師、歯科医またはその他の人は、状態１０３は、患者の右側であることを、確信をもって知ることができる。
【００６２】
図３９に示す、本発明の第３の実施態様においては、マーカーは非対称であり、プレートの対称軸に対して非対称に配置されているとともに、「表側」マーカーおよび「裏側」マーカーの両方が使用されている。この例においては、マーカー３９０１および３９０２は、矢印の形状にされている。もちろんのこと、マーカー３９０１および３９０２は、この実施態様と関係して述べるさらなる要件に合致する、任意適当な方向マーカーとすることもできる。ここで、「表側」マーカー３９０１は、画像３９００の下端で、プレートの右側垂直辺を指す、水平に配向された、細くて短い矢印であり、これに対して、「裏側」マーカー３９０２は、「ランドスケープ」方向のプレートの下端で、やはり水平に配向されているが、画像３９００のプレートの前記垂直辺と反対方向を指している、中実の矢印であると仮定する。説明の目的で、プレートが画定する面の両側における、マーカーの大きさと配置によって、マーカー３９０１と３９０２の関係は、２つのマーカーの画像間に重複が生れている。この特定の配設においては、プレートが「裏側」から露出され、次いで走査されるときには、２つの矢印が重なって、プレート画像上の「裏側」マーカーの比較的大きな中実矢印を生成するとともに、比較的細い「表側」マーカーを覆い隠す。したがって、すべての露出、走査されたプレート画像には１つの矢印だけが表われる。
【００６３】
図３８に関する考察において使用した解析方法を、この第３の実施態様に拡張するに際して、「表側」から露出して、次いで先述の面回転および反映による操作によって生成することのできる、すべての可能なランドスケープ画像を図４０に示してある。説明を簡単にするために、ここでは、画像の「ランドスケープ」方向だけを考察する必要がある。上位−下位方向を見つけるのが比較的容易であることによって、実際的な理由から、水平画像および垂直画像は、プレートの短軸または長軸のいずれかと整列された歯、すなわち容易に区別可能な状態を含むので、互いに９０度の倍数の回転によって関係している２つの口腔歯科画像、ならびに、その他多くの解剖学的構造画像を混同することはほとんどあり得ない。さらに、通常は、異なる方向のプレートは、異なる用途に使用される。「ポートレイト」方向は、一般に、前歯歯根先端周囲検査（anterior tooth periapical study）および垂直咬翼検査（vertical bitewing study）に使用されるのに対して、「ランドスケープ」方向は、奥歯歯根先端周囲検査および水平咬翼検査に使用される。「ランドスケープ」方向画像に対して、図３８に関する考察において先にすでに示したように、この解析方法は、「ポートレイト」方向画像についても拡張可能かつ有効である。
【００６４】
以下の図４０の考察は、図３８に関して適用した解析方法を、本発明の第３の実施態様に拡張する。２つの動作、すなわち長軸および短軸の交差点における、プレート（または画像）の面に垂直な軸の回りの１８０度回転、および画像の面に対して直角の垂直面を介する反映は、操作の４つのモードであり、これらは、単独または組み合わせで、画像のすべての可能な方向を生成する。
第１のモードは、面の「露出前」反映であり、プレートが「表側」から露出されるか、または「裏側」から露出されるかを変更する。プレートがどの初期反映位置で露出されたかに応じて、４００１および４００２の群の１つが、解析の開始点となる。
【００６５】
操作の第２のモードは、「ポートレイト」から「ランドスケープ」に、連続する場合には「ランドスケープ」に戻る方向の変更に伴う、露出前の面の物理的な回転であり、これによって、マーカーの位置と、シャドーグラムによって生成される画像の詳細との関係が変更される。図３８および図２〜３３に関する考察において示したように、「ランドスケープ」方向の範囲で、またひいては「ポートレイト」方向の範囲において、このモードを介して達成可能な２つの可能な方向の間には同等性が存在する。したがって、この操作のさらなる考察は、この回転モードは、プレートの対象の長軸および短軸の交差点に位置する点を介しての反映と同等である、非対称または非対称に配置されたマーカーに対して影響を与えることを述べた後にまわす。その初期露出回転が発生した結果、画像の解析の開始点が図４０における画像の左欄か、または画像の右欄かが決まる。
【００６６】
第３のモード、すなわち露出後のプレートの回転は、スキャナー内に装着されるとき、またはデータがいったん取り込まれるとソフトウエアによって、マーカーの位置とシャドーグラムの詳細との関係を維持する。以下に考察するように、このモードは、図４０の左欄および右欄の間の移動によって示される、このモードを、「露出後」回転と呼ぶ。
第４のモードは、取り込み後の画像のソフトウエア反映である。この操作を、図４０において、元の群４００１または４００２の範囲内に残りながら、行間での垂直移動によって示してある。
【００６７】
任意の側から露出され、次いで画像処理ソフトウエアによって操作される、「表側」マーカーおよび「裏側」マーカーを有するプレートは、上記の図４０の画像の１つを生成する。これらの画像の解析について、４つの仮説上の開始点４００３、４００４、４００７および４００８に関連して以下で考察する。
仮説＃１
従来は「正しい」方向、すなわち、「表側」マーカーが放射線源に面し、かつ下端にある方向から露出されたプレートから走査された画像を、画像４００３に示してある。回転または反映によるソフトウエア操作は、グループ４００１に含まれる、画像４００４、４００５、または４００６のいずれをも生成することができる。しかしながら、画像４００２が正しい方向にあるときには、細い「表側」マーカー矢印が、右向きで下端にあることに留意されたい。
【００６８】
仮説＃２
「表側」から露出されたが、「表側」マーカーが上端にあり、走査画像４００４を生成するように回転されたプレートから走査された画像。ここでも、ソフトウエア操作によって、画像４００３、４００５および４００６のいずれをも生成することができる。正しい見る方向に向けられるとき、画像４００４は、上端に左向きの細い「表側」マーカー矢印を含む。
仮説＃３
この仮説によれば、プレートは、「裏側」マーカーが下端にある状態で、「裏側」から露出される。走査されると、「裏側」マーカーを下方右にした状態で、左向きの画像４００７が生成される。この画像は、露出前反映されたために、走査画像４００７が生成される。ソフトウエア反映によって、正しい画像４００９が生成される。画像４００８および４０１０をソフトウエア操作によって生成することもできるが、「正しい」画像４００９は、下端に右向きの太い「裏側」マーカー矢印を含むことに注意されたい。
【００６９】
仮説＃４
この最後の仮説に寄れば、プレートは、「裏側」マーカーが上端にあるように回転された後に、「裏側」から露出されて、走査画像４００８を生成する。画像を「正しい」方向から見るために、ソフトウエアを使用して、画像４００８を水平方向に反映して、画像４０１０を生成するように操作する。正しい画像４０１０は、上端に左向きの太い「裏側」マーカー矢印を含む。
前記４つの仮説から、第３の実施態様の観点を使用して、簡単な規則を導くことができ、この実施態様を使用して生成される任意の画像は、観察のために正しい方向に、迅速かつ正確に向けることができる。ランドスケープモードの画像に対しては、回転を使用して上位／下位部分に対して、画像を正しく向けた後に、画像の上端にあるマーカー矢印はすべて左を指し、画像の下端にあるマーカー矢印はすべて右を指さなくてはならない。画像は、最初に規則にあっていない場合には、正しい方向を達成するために、ソフトウエアを使用して、水平方向に反転しなくてはならない。
【００７０】
図４１に示す、本発明の第４の実施態様においては、２つの「表側」マーカー４１０１、４１０２および２つの「裏側」マーカーを、次のようにして使用する。マーカー４１０１、４１０３および４１０４の関係は、第３の実施態様のマーカー３９０１および３９０２に関係して記述した関係と同様である。しかしながら、類似の関係にある、マーカーの第２の組４１０２、４１０４は、プレートの面の中心を垂直に通過する線を介しての、第１の組の、反映の点に位置する。
「表側」および「裏側」から放射線源に露出される、プレートを走査することによって生成されるすべての可能な画像４２０１〜４２０８を、図４０のそれに相当する位置に示してある。正しい方向を向く画像に関連する矢印はすべて、それが画像の下半分にあるときには右を指し、画像の上半分にあるときには左を指して、上述の規則をさらに適用しやすくする。処理画像において、そのようにマーカー形状および位置を設計することによって、正確で明白な配向だけでなく、マウント内の画像を配列するプロセスにおいてオペレータがしなくてはならない意思決定の数をさらに低減し、したがって操作に必要な時間を低減する。
【００７１】
さらに、マーカーの一方が、放射線不透過性である臨床構造物、例えば金属製詰め物または歯冠、の影によって覆い隠されたとしても、他方のマーカーがあり、このようなまれな状況においても、画像の左右関係の表示を提供する。
本発明のさらに別の実施態様においては、プレートには、２層の感応材料が取り付けられており、それぞれが小さな「表側」マーカーを有し、潜像を可視診断画像に変換する機構が、プレートを片側または両側から読み取ることを可能にするとともに、そのような診断画像内にそのマーカーの認識可能なパターンと、２つの感応層の間に収容されて、好ましくは、前述の実施態様と同様に、「表側」マーカーの画像を覆い隠して、そのような材料が放射線源とその層の間に存在する場合には、感応層のいずれかから読み取り可能な認識可能なパターンを生成することのできる、異なる標識形成マーカーまたは材料とを生成する。
【００７２】
この実施態様の観点の例を、図４４に示すプレート４４００によって示してある。「表側」マーカーセットは、それぞれの側に１対の、２つの矢印４４０１の２つの対からなり、次のようにプレート上に配置されている。すなわち、プレートの長辺の近傍かつそれに沿った各矢印が、最も近い長辺の中間点近くから発生して、下方長辺の近くに位置する場合には、右側短辺の方向を指すか、または上方長辺の近くに位置する場合には、左側短辺の方向を指す。同じ矢印の配置が、プレートの反対側にも存在する。２つの矢印は、図４４に示すように、プレートの対象の長軸４４０３および短軸４４０４の交差点４４０２を介して、互いの上に反映する。結果として得られる「表側」マーカー構成は、プレートの２つの側４４０５および４４０６が、互いに区別不能であり、両者が燐光体コーティングおよび矢印の両方を含み、これらは、プレート４４００の「ランドスケープ」または「ポートレイト」方向、すなわち対称の主軸４４０３および４４０４のいずれか、または対象点４４０２、の回りの１８０°またはその倍数の回転を保存する任意の操作を介して、互いに同一の位置にある。
【００７３】
この実施態様の更に別の観点によれば、２つの燐光体フィルム層の間に、４つの矢印４４０１のそれぞれの末端近くに、放射性不透過性媒体堆積物４４０７があり、これは、放射線源と反対のプレートの側の燐光体上および放射線撮影される物体上に影を落とすことができる。
（図のように）ランドスケープ方向において、矢印形「表側」マーカー４４０１および、「裏側」マーカーを含む内部材料４４０７の上記の配列において、プレートの同じ側から露出され、かつ読み取られる物体の画像は、常に、走査された状態で、下端矢印４４０１が右を指し、「裏側」マーカー４４０７の影はない。一方、図４５に示すように、プレートの片側から露出されて、反対側から読み取られる物体の画像４５０１はすべて、「裏側」マーカー画像４５０２を露呈させて、診断画像がソフトウエアによって適正に配向されたときに、これが下方矢印４５０３の右側、すなわち末尾に現れる。下方矢印（図４４、４４０１）が、「裏側」マーカー影なしに、右を指す下方矢印を含む画像も、適正に配向されている。しかしながら、「表側」マーカーの左端、すなわち末端にある「裏側」マーカー影を含む画像（図示せず）は、右と左とが逆転して、診断画像を適正に配向されるにはソフトウエア反映を必要とする。先の実施態様と同様に、同様の解析によって、正しい画像配向に対して簡単な規則が生成される。
【００７４】
上記の考察からわかるように、記述した様々な実施態様によるプレートは、画像情報の中に永久に埋め込まれた、区別可能なマーカーを有する画像を生成する。この特有のマーカーは、歯科医または専門技師が認識して操作するか、または自動的に認識して、画像を見るのに使用される画像処理ソフトウエアによって操作することができる。さらに高性能のソフトウエアでは、最初に、任意適当な画像処理規則に基づいて、それ自体の上位／下位配向を実施するが、これに対して性能の低いソフトウエアは、オペレータに頼って、最初に上位／下位配向を実施する。自動方向認識および再配向を実現するために、画像処理ソフトウエアは、次に、マーカーに相当する特定の形状に対する、マーカーのある可能性のある既知の場所を探索する。それらの形状の１つが、マーカーのそれらの可能な場所の１つにおいて発見されると、次いで、画像を正しく配向するための規則が適用される。上記の第３または第４の実施態様の場合には、上記の簡単な規則を、簡単にソフトウエアによって自動的に適用して、各画像を即座に正しい方向にすることができる。ソフトウエアを書くことによって、それ自体の１つを含む画像内で認識されるマーカーを置き換えることもできる。この置換によって、画像を使用するものが、画像が処理されて、正しく配向されたことを認識するのを助けることになる。
【００７５】
別のソフトウエア強化も、本発明の実施態様の観点と関係して可能である。画像処理ソフトウエアが実施する反映プロセスは、画像が偶数回または奇数回のいずれで反映されたかを示す、「反映フラグ」を切り替えることによって、ファイルを修正することができる。反映フラグは、画像ファイル内に埋め込むか、独立のファイルに記憶するか、画像ファイル名の一部とするか、またはその他任意適当な場所に記憶することができる。反映フラグの値は、２つの状態の１つを表すことができる。反映プロセスおよび反映フラグは、好ましくは以下の条件を満足する。
【００７６】
１．反映プロセスは、反映フラグ状態を１からその他に切り替えて、その度に反映が所与の画像に適用され、それによって反映の回数を追跡した、２進法（modulo two）；
２．そのように処理された画像ファイルは、グラフィック、文字または画像が（反映の垂直軸を介して）水平方向に反映されたことの、その他の表示を含むように修正される；そして
３．反映ツールを反復して使用すると、反映フラグを、それが使用される度に、２つの状態の間で切り替える。
【００７７】
画像処理システムは、「裏側」マーカーが存在して、反映フラグが奇数回の反映操作を示す場合、または「裏側」マーカーが不在で、反映フラグが偶数回（ゼロを含む）の反映操作を示す場合に、正しく配向された画像を表示する。本発明の観点を実現するプレートは、任意適当な方法によって製造することができる。製造すべきマークは、製造すべきプレートの大きさに対して、任意の大きさのものとすることができる。片側に燐光体を、反対側に放射線感応材料をコーティングした、より大きなシートまたはウエブから、１つまたは２つ以上のプレートを切断する製造方法においては、マークの設置は、プレートを切断する場所と一致させるか、またはプレートを切断する場所に対して不規則に配置するか、またはプレートを切断する場所を完全に覆ってもよい。場所を一致させることは、印刷要素と金型打抜き品とを位置合わせするための、印刷技術において公知の方法を含む、任意適当な方法で達成することができる。
【００７８】
小型の、明確に区別できるマークは、固定された、所定の場所に配置することができるのに対して、マークとして使用するブランケットパターンも、診断画像において見ることの多いパターンとそれを区別できるように、明確に区別できるマークでなくてはならない。好ましいブランケットパターンは、診断画像において自然に発生するパターンと区別できるように、斑紋状、曲線または不規則なものではなく、直線状または角のあるものである。上述のように、プレート上でのマークまたはパターンの生成は、診断放射線の透過または吸収を変える任意適当な手段を用いて行うことができる。例えば、燐光体を保持するプレートの物質を、燐光体内に潜像を生成する、その物質による放射線の吸収が均一でないように、製造することができる。この不均一性は、所望のマークまたはパターンの形態をとることができる。所望の不均一性を生成することのできる工程の例を、次に記述する。
【００７９】
代替選択肢として、上述のように、マークまたはパターンの製造は、露出プレートの出力を変えること、例えば燐光体の種類、厚さまたは存在を変えることによって行うことができる。このパターンは、不均一な組成を有するプレートのバルク物質の一体部分とすることができる。これは、放射線の吸収率（extinction coefficient）を局所的に増大させて、燐光体側から露出されるときに、燐光体上に落とされる影に区別のできるパターンを生成する、材料を採用することによって達成することができる。製造時に、放射線不透過性材料、例えば適当な粒子寸法の重金属塩粉末を、プレートを形成する材料に加えることができる。このような添加は、プレートの仕上げの前、例えば、材料が硬化して完成シートになる前の、半流動性状態にある間に、材料が均一にならないようにして実施することができる。
【００８０】
このパターンは、プレートの製造中に、完成プレートの燐光体を保持するシートの修正として、導入することができる。望みに応じて組み合わせることのできる例としては、シートのバルク材料と異なる吸収係数の材料を、シートに、ホットプレス、吸着、スタンプ、インクまたは箔による印刷、噴霧、再昇華、粉末のふりかけ、はめ込み、またはその他の方法で堆積、もしくは刻印することがある。これによって、燐光体の側から露出されるとき、燐光体に落とされる影の中に、区別できるパターンが導入されることになる。
【００８１】
図３４に示すように、プレートを製造するためのシートは、積層構造またはサンドイッチ構造としてもよく、この構造では、少なくとも１つの層３４０１が、燐光体３４０２上に不均一な影を落とすことができる。例えば、その層３４０１は、ラベルパターン３４０３を与える金属箔打抜き品とすることもできる。あるいは、不均一層を、その他の方法の１つによって得て、次いでその層の上に積層して完成構造にすることも可能である。層３４０１を、基板３４０４の片側に貼り付け、同時に燐光体層３４０２は、その上に不均一な影を落とす材料３４０５を含み、それを基板３４０４の反対側に貼り付ける。保護層３４０６および３４０７は、構造の外表面に貼り付ける。この手法の潜在的な利点の１つは、例えば機械的または化学的な、不安定性のために不適切であることのある、放射線不透過性堆積物の堆積の方法が、サンドイッチの内部に堆積材料を封止して、それによって層間で安定させることによって、使用できるようになることである。別の利点は、毒性などの望ましくない特性のために、表面コーティングとしての考慮から除外されることのある、そうでなければ便宜な材料が、ほんのわずかな量でプレートの構造内部に安全に封止されて存在する場合には、使用可能となることである。そのような材料としては、重金属、元素、その合金、化合物または塩を含有する粉末、インク、または箔とすることができる。
【００８２】
プレート内部に対照的な放射線不透過性の領域を生成する別の方法は、プレートの基板に、関係する波長において大きく異なる吸収率を有する、全厚みまたは部分厚みの材料を埋め込むことである。この種の全厚みはめ込みを生成する１つの方法は、図３５に示すように、燐光体（例えば、図３４、３４０２）上に不均一な影を落とすことのできる材料３５０２をその中に埋め込んだ、不均質押出しブロック３５０１を横方向に切断することによる方法である。
【００８３】
図３６に示す、別の構造によれば、プレートは、それ自体がかなりの程度の放射線不透過性を有する材料でできており、片側から露出されるときに、プレートが落とす影の強度の変化を、燐光体を堆積させる基板３６０１の厚みを変えることによって生成することもできる。この例では、プレートを製作するための物質は、露出に使用する放射線の波長に対して大きな吸収率を有する必要がある。例えば、重金属を含む基板に対して、肉厚領域３６０２は、肉薄領域３６０３よりもより濃い影を落とすことになる。患者を重金属露出から保護するとともに耐久性を向上させるために、保護層３４０６および３４０７も含めてある。
【００８４】
さらに別の構造によれば、図３７に示すように、マークまたはパターンは、プレートが誤った方向、すなわち「裏側」から露出されるときに、燐光体に影を落として、放射線写真の観察者に、プレートが「誤った」側から露出されたことを明確に警告するようにすることができる。このパターン３７０１およびその濃さは、そのような画像を読み取り不能とし、それによって所定の方法、すなわち燐光体を放射線源に向けて露出する方法を、繰り返し行わさせることができる。このプレートおよびマークまたはパターンの構造は、燐光体によって記録される画像の発生源の解剖学的位置についてのあいまいさを解消することにおいて、現在の燐光体プレート技術についての改良である。この構造の別の利点は、従来型歯科用フィルムパケットは同様の結果を生成し、したがって歯科専門職者がそのような手法に慣れていることである。しかしながら、そのような破壊的ラベルは、露出が不適正に行われたときに、露出がプレートの反対側から行われたことを単に示して、観察者が、その後に画像が通常の方向になるように操作できるようにするのではなく、患者を電離放射線に再び露出させることを必要とする。
【００８５】
さらに別の実施態様によれば、図４３の横断面に示すように、小さなリベット、針、無頭釘（brad）、その他４３０１は、随意にプレート４３００の構造を一緒に保持して、「表側」マーカーおよび「裏側」マーカーの両方としての役割を果たすことができる。この実施態様の観点によれば、リベット、針、無頭釘またはその他４３０１の頭部４３０２は、「表側」マーカーを提供し、それに対して、リベット、針、無頭針またはその他４３０１の比較的大きな、広がった足部４３０３は、「裏側」マーカーを提供することができる。ここで、リベット、針、無頭針またはその他４３０１の頭部４３０２および足部４３０３の役割を変えることもできることを理解すべきである。
【００８６】
さらに別の構造によれば、図４６に示すように、放射線不透過性材料４６０２のマーカーまたはパターン生成用の塊は、マトリックス４６０１内部に収納するか、または埋め込むことが可能であり、次いで、このマトリックス自体が、プレート４６００上の、画像内の感応層の指示された観点からの露出を示すのに選択される場所に取り付けられる。図示されているように、マトリックスは、例えば、プラスチックフレーム４６０１とすることができる。放射線不透過性材料４６０２は、この例においては、「裏側」マーカーを生成する。フレーム４６０２は、既存のプレート処理システムとの互換性を提供するように構築することができる。また、図示されるように、第２のフレーム４６０３を、「表側」マーカーを生成するように構成することもできる。この例においては、「表側」マーカーは、フレーム４６０３の部分４６０４によって阻止されるので、読み取りのできない領域を生成する。そのようなマトリックス４６０１、４６０３は、化学的接着、溶媒溶接、超音波溶接、その上への直接成型、機械的な取り付け、またはその他の方法でプレート４６００に取り付けて、潜像を可視形態に変換するために使用する機構の操作と干渉しないようにすることができる。
【００８７】
図４６の実施態様の変形形態を、図５０、５１および５２に示してある。この変形形態においては、「フレーム」は、実際には画像領域を包囲する完全フレームではなく、プレート５００の１隅（または、任意選択で、主画像領域外の別の小領域）だけを占めるように縮小されている。次いで、この実施態様の部分を、詳細に記述する。プレート５０００は、その中に形成された２つの空隙５００２および５００３を備える隅領域５００１を有する。空隙５００２および５００３は、隅要素（図５１、５１００）をプレート５０００に保持するように、配置、採寸および成形されている。
【００８８】
図５１に示すように、隅要素５１００は、プレート５０００の空隙５００２および５００３に適合するように、配置、採寸および成形された、２つの保持スタッド５１０１および５１０２を有する。また、隅要素５１００が形成されている材料内に埋め込まれているのは、放射線不透過性材料の成形体５１０３である。この放射線不透過性材料の成形体５１０３は、「裏側」マーカーの機能を果たし、これに対して、スタッド５１０１および５１０２の頂部の形状は、「表側」マーカーの機能を果たす。完全にするために、図５２には、プレート５００に取り付けた隅要素５１００を底端面図で示してある。
【００８９】
図５３に示す、簡略化した実施態様によれば、プレート５３００は、一対の「表側」マーカー５３０１と一対の「裏側」マーカー５３０２とを有する。「表側」マーカー５３０１だけが現れると、結果として得られる画像では、その「表側」マーカーが現れる隅が、画像が露出後反映されたかどうかを表示する。「表側」マーカー５３０１および「裏側」マーカー５３０２の両方が現れると、結果として得られる画像は、それが読み取られた反対側から露出された、すなわち露出前反映されたことになる。画像内の情報は、単独では、その反映がその後の露出後反映によって補正されたかどうかを判定するには、不十分である。しかしながら、他で述べたように、ソフトウエアによって、画像内のマーカーを、正しい方向を永久的に示すように設計されたマーカーに置き換えることができる。この簡略化した実施態様は、「表側」からのみ読み取る必要のある材料と、両側から読み取ることのできる材料とに、等しく有効に機能する。
【００９０】
図４７に示すように、本発明の観点は、燐光性放射線感応層４７０１および２つの透過性層４７０２、４７０３を有する、プレート４７００内に組み入れることができる。２つの透過性層４７０２および４７０３の一方または他方が、構造に機械的支持を提供する基板層であると考えるか、または個別の、透過性基板層（図示せず）を使用することができる。実際のところ、別の基板層が設けられるとともに、放射線不透過性パターン４７０４および４７０５が、例えば、重ね刷りによって、層４７０１の両側に設けられると、透過性層４７０２および４７０３は除外することもできる。それぞれの透過性層４７０２および４７０３は、放射線感応層４７０１の励起波長および燐光波長の両方に機能的に透過性でなくてはならない。機能的透過性に加えて、層４７０２および４７０３は、プレートを使用しようとする用途によって必要とされる解像度に適当な程度に、十分に分散性（dispersal）でなくてはならない。
【００９１】
各透過性層は、縁辺において、放射線不透過性パターン４７０４および４７０５を含む。パターン４７０４および４７０５はいくつかの特性で選択される。これらは、この例においては、その上にパターンが配置される、放射線感応層４７０１の側から見るときに、同じパターンとなることがある。パターン４７０４および４７０５は、プレートを同じ側から露出し、かつ見るときに、図４８に示すように、本質的に非対称でなければならず、それによってパターンの水平方向および垂直方向の反映が、結果として得られる画像において容易に明らかとなる。パターン４７０４および４７０５は、一方の側から露出されて、反対側から見られるときに、組み合わされて、図４９に示すように、図４８に示すものと異なる固有のパターンを生成する。
【００９２】
図４８に示すような画像がプレートから読み取られると、オペレータは、直ちに、画像が正しく配向されていることを認識することができる。実際に、画像が故意にではなく水平方向に反映されている場合には、パターンによって誤った方向が識別されて、次いで、この方向を補正することができる。
図４９に示すような画像が、プレートから読み取られると、オペレータ（または、プレートの読み取りと画像の記憶を実施するソフトウエア）は、画像が、片側から露出されてその反対側から読み取られたことによって、反転されていることを、直ちに見分けることができる。次いで、この画像は、水平方向に反映されて、図４９に示すパターンを、図４８に示すパターンと置き換えることができ、これによって、画像内にその正しい方向の表示が永久的に埋め込まれる。
【００９３】
上述した本発明の実施態様の、様々な観点によるマーカーは、低溶融温度組成物または合金を、プレート内の好適な形状に、注入成型することによって製作することができる。低温合金、Ｓｎ、Ｓｂ、Ｂｉ、Ｐｂおよび／またはその他を含む、共晶合金が好適である。
ディジタル口腔内歯科用プレートに関係して記述したが、本発明の実施態様の様々な観点は、両側から露出され易いが、片側からのみ読み取りまたは走査が可能な、他の医療および歯科用プレートまたはフィルムに、適用することができる。
【００９４】
以上、本発明の少なくとも１つの実施態様の、いくつかの観点について記述したが、当業者は、様々な変更、修正、および改善を思いつくであろう。そのような変更、修正、および改善は、この開示の一部であり、また本発明の主旨と範囲に含まれるものである。したがって、以上の記述および図面は、例としてのみのものである。
【図面の簡単な説明】
【００９５】
【図１】歯科用Ｘ線プレートを左右両側から露出する方法を示す、人の下顎の斜視図である。
【図２】左向きの「表側」を有する従来型ディジタル歯科用Ｘ線プレートを、患者の下顎の右側を通して露出すること、プレートの「表側」から画像を走査すること、およびソフトウエアを使用して画像を水平方向に反転させることによって生成される画像を示す図である。
【図３】左向きの「表側」を有する従来型ディジタル歯科用Ｘ線プレートを、患者の下顎の右側を通して露出すること、プレートの「表側」から画像を走査することによって生成される画像を示す図である。
【図４】左向きの「表側」を有する従来型ディジタル歯科用Ｘ線プレートを、患者の下顎の左側を通して露出すること、プレートの「表側」から画像を走査すること、およびソフトウエアを使用して画像を水平方向に反転させることによって生成される画像を示す図である。
【図５】左向きの「表側」を有する従来型ディジタル歯科用Ｘ線プレートを、患者の下顎の左側を通して露出すること、プレートの「表側」から画像を走査することによって生成される画像を示す図である。
【００９６】
【図６】左向きの「表側」を有する従来型ディジタル歯科用Ｘ線プレートを、患者の下顎の右側を通して露出すること、プレートの「表側」から画像を走査すること、および画像を水平方向に反転させることによって生成される画像を示す図である。
【図７】左向きの「表側」を有する従来型ディジタル歯科用Ｘ線プレートを、患者の下顎の右側を通して露出すること、プレートの「表側」から画像を走査することによって生成される画像を示す図である。
【図８】左向きの「表側」を有する従来型ディジタル歯科用Ｘ線プレートを、患者の下顎の左側を通して露出すること、プレートの「表側」から画像を走査すること、および画像を水平方向に反転させることによって生成される画像を示す図である。
【図９】左向きの「表側」を有する従来型ディジタル歯科用Ｘ線プレートを、患者の下顎の左側を通して露出すること、プレートの「表側」から画像を走査することによって生成される画像を示す図である。
【図１０】右向きの「表側」を有する従来型ディジタル歯科用Ｘ線プレートを、患者の下顎の右側を通して露出すること、プレートの「表側」から画像を走査することによって生成される画像を示す図である。
【図１１】右向きの「表側」を有する従来型ディジタル歯科用Ｘ線プレートを、患者の下顎の右側を通して露出すること、プレートの「表側」から画像を走査すること、および画像を水平方向に反転させることによって生成される画像を示す図である。
【００９７】
【図１２】右向きの「表側」を有する従来型ディジタル歯科用Ｘ線プレートを、患者の下顎の左側を通して露出すること、プレートの「表側」から画像を走査することによって生成される画像を示す図である。
【図１３】右向きの「表側」を有する従来型ディジタル歯科用Ｘ線プレートを、患者の下顎の左側を通して露出すること、プレートの「表側」から画像を走査すること、および画像を水平方向に反転させることによって生成される画像を示す図である。
【図１４】右向きの「表側」を有する従来型ディジタル歯科用Ｘ線プレートを、患者の下顎の右側を通して露出すること、プレートの「表側」から画像を走査することによって生成される画像を示す図である。
【図１５】右向きの「表側」を有する従来型ディジタル歯科用Ｘ線プレートを、患者の下顎の右側を通して露出すること、プレートの「表側」から画像を走査すること、および画像を水平方向に反転させることによって生成される画像を示す図である。
【図１６】右向きの「表側」を有する従来型ディジタル歯科用Ｘ線プレートを、患者の下顎の左側を通して露出すること、プレートの「表側」から画像を走査することによって生成される画像を示す図である。
【００９８】
【図１７】右向きの「表側」を有する従来型ディジタル歯科用Ｘ線プレートを、患者の下顎の左側を通して露出すること、プレートの「表側」から画像を走査すること、および画像を水平方向に反転させることによって生成される画像を示す図である。
【図１８】本発明の観点を具現する、左向きの「表側」を有する従来型ディジタル歯科用Ｘ線プレートを、患者の下顎の右側を通して露出すること、プレートの「表側」から画像を走査すること、および画像を水平方向に反転させることによって生成される画像を示す図である。
【図１９】本発明の観点を具現する、左向きの「表側」を有する従来型ディジタル歯科用Ｘ線プレートを、患者の下顎の右側を通して露出すること、およびプレートの「表側」から画像を走査することによって生成される画像を示す図である。
【図２０】本発明の観点を具現する、左向きの「表側」を有する従来型ディジタル歯科用Ｘ線プレートを、患者の下顎の左側を通して露出すること、プレートの「表側」から画像を走査すること、および画像を水平方向に反転させることによって生成される画像を示す図である。
【図２１】本発明の観点を具現する、左向きの「表側」を有する従来型ディジタル歯科用Ｘ線プレートを、患者の下顎の左側を通して露出すること、およびプレートの「表側」から画像を走査することによって生成される画像を示す図である。
【図２２】本発明の観点を具現する、左向きの「表側」を有する従来型ディジタル歯科用Ｘ線プレートを、患者の下顎の右側を通して露出すること、プレートの「表側」から画像を走査すること、および画像を水平方向に反転させることによって生成される画像を示す図である。
【００９９】
【図２３】本発明の観点を具現する、左向きの「表側」を有する従来型ディジタル歯科用Ｘ線プレートを、患者の下顎の右側を通して露出すること、およびプレートの「表側」から画像を走査することによって生成される画像を示す図である。
【図２４】本発明の観点を具現する、左向きの「表側」を有する従来型ディジタル歯科用Ｘ線プレートを、患者の下顎の左側を通して露出すること、プレートの「表側」から画像を走査すること、および画像を水平方向に反転させることによって生成される画像を示す図である。
【図２５】本発明の観点を具現する、左向きの「表側」を有する従来型ディジタル歯科用Ｘ線プレートを、患者の下顎の左側を通して露出すること、およびプレートの「表側」から画像を走査することによって生成される画像を示す図である。
【図２６】本発明の観点を具現する、右向きの「表側」を有する従来型ディジタル歯科用Ｘ線プレートを、患者の下顎の右側を通して露出すること、およびプレートの「表側」から画像を走査することによって生成される画像を示す図である。
【図２７】本発明の観点を具現する、右向きの「表側」を有する従来型ディジタル歯科用Ｘ線プレートを、患者の下顎の右側を通して露出すること、プレートの「表側」から画像を走査すること、および画像を水平方向に反転させることによって生成される画像を示す図である。
【０１００】
【図２８】本発明の観点を具現する、右向きの「表側」を有する従来型ディジタル歯科用Ｘ線プレートを、患者の下顎の左側を通して露出すること、およびプレートの「表側」から画像を走査することによって生成される画像を示す図である。
【図２９】本発明の観点を具現する、右向きの「表側」を有する従来型ディジタル歯科用Ｘ線プレートを、患者の下顎の左側を通して露出すること、プレートの「表側」から画像を走査すること、および画像を水平方向に反転させることによって生成される画像を示す図である。
【図３０】本発明の観点を具現する、右向きの「表側」を有する従来型ディジタル歯科用Ｘ線プレートを、患者の下顎の右側を通して露出すること、およびプレートの「表側」から画像を走査することによって生成される画像を示す図である。
【図３１】本発明の観点を具現する、右向きの「表側」を有する従来型ディジタル歯科用Ｘ線プレートを、患者の下顎の右側を通して露出すること、プレートの「表側」から画像を走査すること、および画像を水平方向に反転させることによって生成される画像を示す図である。
【図３２】本発明の観点を具現する、右向きの「表側」を有する従来型ディジタル歯科用Ｘ線プレートを、患者の下顎の左側を通して露出すること、およびプレートの「表側」から画像を走査することによって生成される画像を示す図である。
【０１０１】
【図３３】本発明の観点を具現する、右向きの「表側」を有する従来型ディジタル歯科用Ｘ線プレートを、患者の下顎の左側を通して露出すること、プレートの「表側」から画像を走査すること、および画像を水平方向に反転させることによって生成される画像を示す図である。
【図３４】本発明の観点による放射線不透過性標識マークを有する積層体の分解図である。
【図３５】はめ込み放射線不透過性材料を有するバルク材料と、薄片が本発明の観点によるディジタルＸ線プレートを構築するのに使用することのできる、バルク材料の切り出し薄片とを示す斜視図である。
【図３６】基板を通して露出されるときに特有のマーカーを生成するように、厚さを変えられた放射線不透過性基板を使用して生成される放射線不透過性プレートの分解図である。
【図３７】「表側」を向く放射線感応材料と、その「裏側」を向く、放射線不透過性材料を有し、この放射線不透過性材料が、それを通して露出される画像を使用不能にするパターンを有する、放射線写真プレートの分解図である。
【図３８】画像の様々な転置間の関係を示す、転置マップである。
【図３９】「表側」マーカー（実）および「裏側」マーカー（虚）の相対位置を示す、プレートの平面図である。
【０１０２】
【図４０】図３９のプレートの変換マップである。
【図４１】２重「表側」マーカー（実）および２重「裏側」マーカー（虚）の相対位置を示す、プレートの平面図である。
【図４２】図４１のプレートの変換マップである。
【図４３】リベットまたは無頭釘を使用して「表側」マーカーと「裏側」マーカーの両方を形成する、本発明の一実施態様の観点を示す横断面図である。
【図４４】片側から見たときの、「表側」マーカー（実線矢印、破線矢印）と「裏側」マーカー（破線菱形）との相対位置を示すとともに、同じ側からの露出および観察を表わす、２重燐光体プレートの平面図である。
【図４５】片側から露出されて、画像が水平方向に反転された後に、反対側から見たときの、「表側」マーカーと「裏側」マーカー（破線菱形）との相対位置を示す、２重燐光体プレートによって生成される画像の平面図である。
【図４６】プレートに付着させた少なくとも１つのフレームを含む、本発明の一実施態様の観点による、プレートの分解斜視図である。
【図４７】透過性基板と保護層とを有し、それによって両側から読み取り可能なプレートの、分解斜視図である。
【０１０３】
【図４８】同じ側から露出され、かつ読み取られた、図４７のプレートによって生成される画像の平面図である。
【図４９】片側から露出され、反対側から読み取られた、図４７のプレートによって生成される画像の平面図である。
【図５０】隅マーカー構造を受容するように適合されたプレートの平面図である。
【図５１】図５０のプレートによって受容される、隅マーカー構造の平面図である。
【図５２】図５１の隅マーカー構造を含む、図５０のプレートの底辺図である。
【図５３】本発明の実施態様のいくつかの観点による、簡略化マーカーシステムを有する、プレートの平面図である。
【図１】
2005522704.tif 000003
【図２】
2005522704.tif 000004
【図３】
2005522704.tif 000005
【図４】
2005522704.tif 000006
【図５】
2005522704.tif 000007
【図６】
2005522704.tif 000008
【図７】
2005522704.tif 000009
【図８】
2005522704.tif 000010
【図９】
2005522704.tif 000011
【図１０】
2005522704.tif 000012
【図１１】
2005522704.tif 000013
【図１２】
2005522704.tif 000014
【図１３】
2005522704.tif 000015
【図１４】
2005522704.tif 000016
【図１５】
2005522704.tif 000017
【図１６】
2005522704.tif 000018
【図１７】
2005522704.tif 000019
【図１８】
2005522704.tif 000020
【図１９】
2005522704.tif 000021
【図２０】
2005522704.tif 000022
【図２１】
2005522704.tif 000023
【図２２】
2005522704.tif 000024
【図２３】
2005522704.tif 000025
【図２４】
2005522704.tif 000026
【図２５】
2005522704.tif 000027
【図２６】
2005522704.tif 000028
【図２７】
2005522704.tif 000029
【図２８】
2005522704.tif 000030
【図２９】
2005522704.tif 000031
【図３０】
2005522704.tif 000032
【図３１】
2005522704.tif 000033
【図３２】
2005522704.tif 000034
【図３３】
2005522704.tif 000035
【図３４】
2005522704.tif 000036
【図３５】
2005522704.tif 000037
【図３６】
2005522704.tif 000038
【図３７】
2005522704.tif 000039
【図３８】
2005522704.tif 000040
【図３９】
2005522704.tif 000041
【図４０】
2005522704.tif 000042
【図４１】
2005522704.tif 000043
【図４２】
2005522704.tif 000044
【図４３】
2005522704.tif 000045
【図４４】
2005522704.tif 000046
【図４５】
2005522704.tif 000047
【図４６】
2005522704.tif 000048
【図４７】
2005522704.tif 000049
【図４８】
2005522704.tif 000050
【図４９】
2005522704.tif 000051
【図５０】
2005522704.tif 000052
【図５１】
2005522704.tif 000053
【図５２】
2005522704.tif 000054
【図５３】
2005522704.tif 000055
【手続補正書】
【提出日】平成15年8月14日(2003.8.14)
【手続補正１】
【補正対象書類名】明細書
【補正対象項目名】００３０
【補正方法】変更
【補正の内容】
【００３０】
したがって、画像３８０１のおけるように、「ランドスケープ」方向における下方右隅のマーカー３８１１の原位置を仮定すると、原画像３８０１に対して、画像３８０３の左右関係は逆転していないが、画像３８０７のそれは逆転している。さらに、原画像３８０９、３８１０の知識なしに、プレートのマーカー位置および「ポートレイト」対「ランドスケープ」方向の観察によって、その左右関係を推測することが可能である。下顎および上顎の歯は、十分に大きさ差があり、放射線写真画像においてそれらを認識し、それによって上位−下位次元の方向を保存することができる。同様にして、長い矢印３８１０が上位方向の認識可能な指標として機能し、短い矢印３８０９が前方方向の認識可能な指標として機能すると仮定すると、画像３８０１および３８０５だけが、上位−下位次元に対して適正に配向された画像を表す。さらに、これらの２つの内で、画像３８０１だけが、影を落としている物体の元の左右関係を保存している。さらに状況を複雑化するのは、プレートが「裏側」から露出されて、「表側」から見られており、それによって画像３８０５が得られた可能性があることである。この画像は、画像３８０１の「正しい」方向で見るためには、水平方向に反映されなくてはならない。
【手続補正２】
【補正対象書類名】明細書
【補正対象項目名】００３１
【補正方法】変更
【補正の内容】
【００３１】
図２、３、４および５における画像の解析の目的に対して、この患者のディジタル歯科Ｘ線プレート１０４を露出する専門技師、歯科医またはその他が、上記に定義した「表側」を、中空円、その結果としてプレートの感応側が、位置「発生源Ｌ」にあるＸ線源の方向に向くとともに、位置「発生源Ｌ」にあるＸ線源の方向から見て、プレート１０４の下方右隅にくるように配向したと仮定する。図３は、そのように配向されたプレートが、「発生源Ｒ」で示す場所のＸ線によって露出されるときに、プレート１０４の「表側」から読み取られる画像である。そのような画像を読み取る歯科医が、誤った「側」、すなわちプレートの「裏側」から露出が行われたことを知っている場合には、この歯科医は、画像処理ソフトウエアを使用して、画像を水平方向に反転することによって、図２に示すように画像を再配向することができる。マーク２０１は、画像の右側から左側へと転置される。同様に配向されているが、「発生源Ｌ」で示す場所のＸ線源によって露出される、同一のプレート１０４は、プレートの感応側から読み取られるときには、図５に示す画像を生成する。
【手続補正３】
【補正対象書類名】明細書
【補正対象項目名】００７０
【補正方法】変更
【補正の内容】
【００７０】
図４１に示す、本発明の第４の実施態様においては、２つの「表側」マーカー４１０１、４１０２および２つの「裏側」マーカー４１０３、４１０４を、次のようにして使用する。マーカー４１０１、４１０３および４１０４の関係は、第３の実施態様のマーカー３９０１および３９０２に関係して記述した関係と同様である。しかしながら、類似の関係にある、マーカーの第２の組４１０２、４１０４は、プレートの面の中心を垂直に通過する線を介しての、第１の組の、反映の点に位置する。
「表側」および「裏側」から放射線源に露出される、プレートを走査することによって生成されるすべての可能な画像４２０１〜４２０８を、図４０のそれに相当する位置に示してある。正しい方向を向く画像に関連する矢印はすべて、それが画像の下半分にあるときには右を指し、画像の上半分にあるときには左を指して、上述の規則をさらに適用しやすくする。処理画像において、そのようにマーカー形状および位置を設計することによって、正確で明白な配向だけでなく、マウント内の画像を配列するプロセスにおいてオペレータがしなくてはならない意思決定の数をさらに低減し、したがって操作に必要な時間を低減する。
【手続補正４】
【補正対象書類名】明細書
【補正対象項目名】００７２
【補正方法】変更
【補正の内容】
【００７２】
この実施態様の観点の例を、図４４Ａ及び図４４Ｂに示すプレート４４００によって示してある。「表側」マーカーセット図４４Ａは、それぞれの側に１対の、２つの矢印４４０１の２つの対からなり、次のようにプレート上に配置されている。すなわち、プレートの長辺の近傍かつそれに沿った各矢印が、最も近い長辺の中間点近くから発生して、下方長辺の近くに位置する場合には、右側短辺の方向を指すか、または上方長辺の近くに位置する場合には、左側短辺の方向を指す。同じ矢印の配置が、プレートの反対側にも存在する。２つの矢印は、図４４Ａ及び図４４Ｂに示すように、プレートの対象の長軸４４０３および短軸４４０４の交差点４４０２を介して、互いの上に反映する。結果として得られる「表側」マーカー構成は、プレートの２つの側４４０５および４４０６が、互いに区別不能であり、両者が燐光体コーティングおよび矢印の両方を含み、これらは、プレート４４００の「ランドスケープ」または「ポートレイト」方向、すなわち対称の主軸４４０３および４４０４のいずれか、または対象点４４０２、の回りの１８０°またはその倍数の回転を保存する任意の操作を介して、互いに同一の位置にある。
【手続補正５】
【補正対象書類名】明細書
【補正対象項目名】０１０２
【補正方法】変更
【補正の内容】
【０１０２】
【図４０】図３９のプレートの変換マップである。
【図４１】２重「表側」マーカー（実）および２重「裏側」マーカー（虚）の相対位置を示す、プレートの平面図である。
【図４２】図４１のプレートの変換マップである。
【図４３】リベットまたは無頭釘を使用して「表側」マーカーと「裏側」マーカーの両方を形成する、本発明の一実施態様の観点を示す横断面図である。
【図４４】図４４Ａ及び図４４Ｂは片側から見たときの、「表側」マーカー（実線矢印、破線矢印）と「裏側」マーカー（破線菱形）との相対位置を示すとともに、同じ側からの露出および観察を表わす、２重燐光体プレートの平面図である。
【図４５】片側から露出されて、画像が水平方向に反転された後に、反対側から見たときの、「表側」マーカーと「裏側」マーカー（破線菱形）との相対位置を示す、２重燐光体プレートによって生成される画像の平面図である。
【図４６】プレートに付着させた少なくとも１つのフレームを含む、本発明の一実施態様の観点による、プレートの分解斜視図である。
【図４７】透過性基板と保護層とを有し、それによって両側から読み取り可能なプレートの、分解斜視図である。
【手続補正６】
【補正対象書類名】明細書
【補正対象項目名】０１０３
【補正方法】変更
【補正の内容】
【０１０３】
【図４８】同じ側から露出され、かつ読み取られた、図４７のプレートによって生成される画像の平面図である。
【図４９】片側から露出され、反対側から読み取られた、図４７のプレートによって生成される画像の平面図である。
【図５０】隅マーカー構造を受容するように適合されたプレートの平面図である。
【図５１】図５０のプレートによって受容される、隅マーカー構造の斜視図である。
【図５２】図５１の隅マーカー構造を含む、図５０のプレートの底辺図である。
【図５３】本発明の実施態様のいくつかの観点による、簡略化マーカーシステムを有する、プレートの平面図である。
【手続補正書】
【提出日】平成15年9月24日(2003.9.24)
【手続補正１】
【補正対象書類名】図面
【補正対象項目名】全図
【補正方法】変更
【補正の内容】
【書類名】図面
【図１】
2005522704.tif 000056
【図２】
2005522704.tif 000057
【図３】
2005522704.tif 000058
【図４】
2005522704.tif 000059
【図５】
2005522704.tif 000060
【図６】
2005522704.tif 000061
【図７】
2005522704.tif 000062
【図８】
2005522704.tif 000063
【図９】
2005522704.tif 000064
【図１０】
2005522704.tif 000065
【図１１】
2005522704.tif 000066
【図１２】
2005522704.tif 000067
【図１３】
2005522704.tif 000068
【図１４】
2005522704.tif 000069
【図１５】
2005522704.tif 000070
【図１６】
2005522704.tif 000071
【図１７】
2005522704.tif 000072
【図１８】
2005522704.tif 000073
【図１９】
2005522704.tif 000074
【図２０】
2005522704.tif 000075
【図２１】
2005522704.tif 000076
【図２２】
2005522704.tif 000077
【図２３】
2005522704.tif 000078
【図２４】
2005522704.tif 000079
【図２５】
2005522704.tif 000080
【図２６】
2005522704.tif 000081
【図２７】
2005522704.tif 000082
【図２８】
2005522704.tif 000083
【図２９】
2005522704.tif 000084
【図３０】
2005522704.tif 000085
【図３１】
2005522704.tif 000086
【図３２】
2005522704.tif 000087
【図３３】
2005522704.tif 000088
【図３４】
2005522704.tif 000089
【図３５】
2005522704.tif 000090
【図３６】
2005522704.tif 000091
【図３７】
2005522704.tif 000092
【図３８】
2005522704.tif 000093
【図３９】
2005522704.tif 000094
【図４０】
2005522704.tif 000095
【図４１】
2005522704.tif 000096
【図４２】
2005522704.tif 000097
【図４３】
2005522704.tif 000098
【図４４】
2005522704.tif 000099
【図４５】
2005522704.tif 000100
【図４６】
2005522704.tif 000101
【図４７】
2005522704.tif 000102
【図４８】
2005522704.tif 000103
【図４９】
2005522704.tif 000104
【図５０】
2005522704.tif 000105
【図５１】
2005522704.tif 000106
【図５２】
2005522704.tif 000107
【図５３】
2005522704.tif 000108
【手続補正書】
【提出日】平成15年12月15日(2003.12.15)
【手続補正１】
【補正対象書類名】明細書
【補正対象項目名】０００１
【補正方法】変更
【補正の内容】
【０００１】
関連出願の相互参照
本出願は、３５Ｕ．Ｓ．Ｃ．１１９（ｅ）の下で、２００２年１２月６日付出願の「METHOD FOR INTERNALLY LABELING THE ORIENTATION OF EXPOSURE OF RADIATION-SENSITIVE PLATES BY PRODUCING A RECOGNIZABLE PATTERN WITHIN THE INFORMATION SET PRODUCED BY SUCH EXPOSURE」という名称の米国特許仮出願番号第６０／３７２，３２３号、２００２年１２月６日付出願の「RADIATION SENSITIVE RECORDING PLATE, A METHOD OF MAKING SAME AND A METHOD OF RECORDING ANDORIENTING IMAGES」という名称の米国特許仮出願第６０／４３１，２８２号、および２００３年３月１８日付出願の「A RADIATION SENSITIVE RECORDING PLATE AND METHODOF MAKING AND USING SAME」という名称の米国特許出願第１０／３９２，１５８号の優先権を主張するものであり、これらのすべてを、参照によりその全文を本明細書に組み入れてある。
【手続補正２】
【補正対象書類名】特許請求の範囲
【補正対象項目名】請求項１０
【補正方法】変更
【補正の内容】
【請求項１０】
マーカーが、頭部および足部を有するリベットであり、前記頭部および前記足部が異なる範囲を覆う、請求項９に記載のプレート。
【手続補正３】
【補正対象書類名】特許請求の範囲
【補正対象項目名】請求項１１
【補正方法】変更
【補正の内容】
【請求項１１】
マーカーが、
表フレーム；および
裏フレームを含み、
前記表フレームおよび前記裏フレームが異なる範囲を覆う、請求項９に記載のプレート。
【手続補正４】
【補正対象書類名】特許請求の範囲
【補正対象項目名】請求項１２
【補正方法】変更
【補正の内容】
【請求項１２】
マーカーが、
画像内に常に存在する表側パターン；および
裏側からの露出後に、前記表側パターンと組み合わせされて画像内に存在する裏側パターンを含む、請求項９に記載のプレート。
【手続補正５】
【補正対象書類名】特許請求の範囲
【補正対象項目名】請求項１３
【補正方法】変更
【補正の内容】
【請求項１３】
マーカーが、
表および裏を有する隅要素を含み、前記表および前記裏が、対象とする領域を含まない、異なる範囲を覆う、請求項９に記載のプレート。
【手続補正６】
【補正対象書類名】特許請求の範囲
【補正対象項目名】請求項１４
【補正方法】変更
【補正の内容】
【請求項１４】
少なくとも表側から読み取り可能な、放射線に感応する層を有し、裏側マーカーが、感応層の読み取りを増強する材料と、感応層の読み取りを減弱させる材料との少なくとも１つをさらに含む、請求項９に記載のプレート。
【手続補正７】
【補正対象書類名】特許請求の範囲
【補正対象項目名】請求項１５
【補正方法】変更
【補正の内容】
【請求項１５】
裏側マーカーが、所定の領域においてプレートの露出を増強する材料と、所定の領域においてプレートの露出を減弱させる材料との少なくとも１つをさらに含む、請求項９に記載のプレート。
【手続補正８】
【補正対象書類名】特許請求の範囲
【補正対象項目名】請求項１６
【補正方法】変更
【補正の内容】
【請求項１６】
裏側マーカーが、重量元素、重量元素を含む合金、重量元素を含む化合物、または重量元素の塩の１つをさらに含む、請求項１５に記載のプレート。
【手続補正９】
【補正対象書類名】特許請求の範囲
【補正対象項目名】請求項１７
【補正方法】変更
【補正の内容】
【請求項１７】
重量元素が、Ｐｂ、Ｓｎ、Ｂｉ、ＩおよびＢａの１つである、請求項１６に記載のプレート。
【手続補正１０】
【補正対象書類名】特許請求の範囲
【補正対象項目名】請求項１８
【補正方法】変更
【補正の内容】
【請求項１８】
画像内にマークを生成する表側マーカーをさらに含み、前記マークがプレート上の画像内に出現すると、表側から露出されたことを表示する、請求項１に記載のプレート。
【手続補正１１】
【補正対象書類名】特許請求の範囲
【補正対象項目名】請求項１９
【補正方法】変更
【補正の内容】
【請求項１９】
少なくとも表側から読み取り可能な、放射線に感応する層を有し、表側マーカーが、前記放射線に感応する層内に画定される空隙と、前記感応層を読み取るときにマーカーの部分に戻される信号を増強する材料と、前記感応層を読み取るときにマーカーの部分に戻される信号を減弱させる材料の、少なくとも１つをさらに含む、請求項１８に記載のプレート。
【手続補正１２】
【補正対象書類名】特許請求の範囲
【補正対象項目名】請求項２０
【補正方法】変更
【補正の内容】
【請求項２０】
放射線に感応する層を励起波長で励起して戻り信号波長における戻り信号を生成することによって、表側からのみ読み取り可能であって、表側マーカーが、前記励起信号波長と前記戻り信号波長の、少なくとも１つに機能的に不透過性である、請求項１９に記載のプレート。
【手続補正１３】
【補正対象書類名】特許請求の範囲
【補正対象項目名】請求項２１
【補正方法】変更
【補正の内容】
【請求項２１】
表側マーカーが、重量元素、重量元素を含む合金、重量元素を含む化合物、または重量元素の塩の１つをさらに含む、請求項１９に記載のプレート。
【手続補正１４】
【補正対象書類名】特許請求の範囲
【補正対象項目名】請求項２２
【補正方法】変更
【補正の内容】
【請求項２２】
重量元素が、Ｐｂ、Ｓｎ、Ｂｉ、ＩおよびＢａの１つである、請求項２１に記載のプレート。
【手続補正１５】
【補正対象書類名】特許請求の範囲
【補正対象項目名】請求項２３
【補正方法】変更
【補正の内容】
【請求項２３】
表側マーカーが、放射線に感応する層内に画定される空隙をさらに含む、請求項１９に記載のプレート。
【手続補正１６】
【補正対象書類名】特許請求の範囲
【補正対象項目名】請求項２４
【補正方法】変更
【補正の内容】
【請求項２４】
マーカーが、少なくとも１つの軸の回りに非対称であり、かつ前記マーカーが、表側マーカーおよび裏側マーカーをさらに含む、請求項１に記載のプレート。
【手続補正１７】
【補正対象書類名】特許請求の範囲
【補正対象項目名】請求項２５
【補正方法】変更
【補正の内容】
【請求項２５】
マーカーが、正常な画像方向に対して垂直な軸の回りに水平非対称である、請求項２４に記載のプレート。
【手続補正１８】
【補正対象書類名】特許請求の範囲
【補正対象項目名】請求項２６
【補正方法】変更
【補正の内容】
【請求項２６】
表側マーカーが、
表側から見たときに、第１の方向を指す、方向性マーカー形状を有するように画定された領域をさらに含む、請求項２５に記載のプレート。
【手続補正１９】
【補正対象書類名】特許請求の範囲
【補正対象項目名】請求項２７
【補正方法】変更
【補正の内容】
【請求項２７】
裏側マーカーが、
表側から見たときに、第１の方向とは異なる第２の方向を指す、方向性マーカー形状を有するように画定された領域をさらに含む、請求項２６に記載のプレート。
【手続補正２０】
【補正対象書類名】特許請求の範囲
【補正対象項目名】請求項２８
【補正方法】変更
【補正の内容】
【請求項２８】
プレートが裏側から露出されて表側から読み取られるときに、表側マーカーの画像内での外見を変更するように、裏側マーカーが配置された、請求項２７に記載のプレート。
【手続補正２１】
【補正対象書類名】特許請求の範囲
【補正対象項目名】請求項２９
【補正方法】変更
【補正の内容】
【請求項２９】
マーカーが、正常な画像方向に対して垂直な軸の回りに垂直非対称である、請求項２４に記載のプレート。
【手続補正２２】
【補正対象書類名】特許請求の範囲
【補正対象項目名】請求項３０
【補正方法】変更
【補正の内容】
【請求項３０】
表側マーカーが、
表側から見たときに、第１の方向を指す、方向性マーカー形状を有するように画定された領域をさらに含む、請求項２９に記載のプレート。
【手続補正２３】
【補正対象書類名】特許請求の範囲
【補正対象項目名】請求項３１
【補正方法】変更
【補正の内容】
【請求項３１】
裏側マーカーが、
表側から見たときに、第１の方向とは異なる第２の方向を指す、方向性マーカー形状を有するように画定された領域をさらに含む、請求項３０に記載のプレート。
【手続補正２４】
【補正対象書類名】特許請求の範囲
【補正対象項目名】請求項３２
【補正方法】変更
【補正の内容】
【請求項３２】
プレートが裏側から露出されて表側から読み取られるときに、表側マーカーを覆い隠すように、裏側マーカーが配置された、請求項３１に記載のプレート。
【手続補正２５】
【補正対象書類名】特許請求の範囲
【補正対象項目名】請求項３３
【補正方法】変更
【補正の内容】
【請求項３３】
別の感応層をさらに含み、裏側マーカーが、感応層と前記別の感応層との間に配置されたプレートであって、前記別の感応層に対して別の表側マーカーをさらに含む、請求項１９に記載のプレート。
【手続補正書】
【提出日】平成16年5月28日(2004.5.28)
【手続補正１】
【補正対象書類名】特許請求の範囲
【補正対象項目名】請求項１
【補正方法】変更
【補正の内容】
【請求項１】
表側から露出されると画像を形成する能力を有し、かつ裏側から露出されると画像を形成する能力を有するように構築かつ配設された放射線記録プレートであって、露出後に画像内で検出可能であるとともに、プレートが表側と裏側のいずれから露出されるかを示し、かつ露出後のプレートから回復された画像に行われた鏡像変換を表示する、マークを生成するマーカーを露出前に含む、前記プレート。
【手続補正２】
【補正対象書類名】特許請求の範囲
【補正対象項目名】請求項２
【補正方法】変更
【補正の内容】
【請求項２】
プレートがいずれかの側から露出されるとき、マーカーが、画像の対象とする領域と干渉しない領域を覆う放射線に対して不透過性の媒体を含む、請求項１に記載のプレート。
【手続補正３】
【補正対象書類名】特許請求の範囲
【補正対象項目名】請求項３
【補正方法】変更
【補正の内容】
【請求項３】
Ｘ線放射に感応性があるとともに、媒体が、重量元素、重量元素を含む合金、重量元素を含む化合物または重量元素の塩の１つを含む、請求項２に記載のプレート。
【手続補正４】
【補正対象書類名】特許請求の範囲
【補正対象項目名】請求項４
【補正方法】変更
【補正の内容】
【請求項４】
重量元素が、Ｐｂ、Ｓｎ、Ｂｉ、ＩおよびＢａの１つである、請求項３に記載のプレート。
【手続補正５】
【補正対象書類名】特許請求の範囲
【補正対象項目名】請求項５
【補正方法】変更
【補正の内容】
【請求項５】
Ｘ線放射に感応性があるとともに、媒体が、前記領域に塗布される結合剤に懸濁されている、請求項２に記載のプレート。
【手続補正６】
【補正対象書類名】特許請求の範囲
【補正対象項目名】請求項６
【補正方法】変更
【補正の内容】
【請求項６】
マーカーが、少なくとも１つの軸の回りに非対称である、請求項１に記載のプレート。
【手続補正７】
【補正対象書類名】特許請求の範囲
【補正対象項目名】請求項７
【補正方法】変更
【補正の内容】
【請求項７】
マーカーが、正常な画像方向に対して垂直な軸の回りに、水平非対称である、請求項６に記載のプレート。
【手続補正８】
【補正対象書類名】特許請求の範囲
【補正対象項目名】請求項８
【補正方法】変更
【補正の内容】
【請求項８】
マーカーが、正常な画像方向に対して水平な軸の回りに、垂直非対称である、請求項６に記載のプレート。
【手続補正９】
【補正対象書類名】特許請求の範囲
【補正対象項目名】請求項９
【補正方法】変更
【補正の内容】
【請求項９】
マーカーが裏側マーカーをさらに含み、該裏側マーカーが、画像の対象とする領域に干渉することなく、画像内にマークを生成し、該マークがプレート上の画像に出現すると、裏側から露出されたことを表示する、請求項１に記載のプレート。
【手続補正１０】
【補正対象書類名】特許請求の範囲
【補正対象項目名】請求項３４
【補正方法】変更
【補正の内容】
【請求項３４】
表側からの露出時に画像を形成する能力を有し、かつ裏側からの露出時に画像を形成する能力を有する放射線記録プレートの、放射線に露出された側を識別する方法であって、
プレート内のプレートの画像領域と実質的に干渉しない位置に、画像中に出現することによって、プレートが露出された側を識別するとともに、露出後にプレートから回復される画像に対して実施された鏡像変換を表示する、マークを生成するマーカーを露出前に組み入れること；
プレートを放射線に露出すること；
プレートを放射線に露出することによって生成される画像を取得すること；および
露出されたプレートの側を識別を得るため、および鏡像変換の表示を得るために、画像を観察することを含む、前記方法。
【手続補正１１】
【補正対象書類名】特許請求の範囲
【補正対象項目名】請求項３５
【補正方法】変更
【補正の内容】
【請求項３５】
露出前にプレートが反転または回転されたかどうかを表示するように、マークを生成するマーカーを配設すること；および
前記表示を得るために画像を観察することをさらに含む、請求項３４に記載の方法。
【手続補正１２】
【補正対象書類名】特許請求の範囲
【補正対象項目名】請求項３６
【補正方法】変更
【補正の内容】
【請求項３６】
画像処理ソフトウエアを使用して画像を観察することをさらに含み、前記画像処理ソフトウエアがマーカーを認識して、プレートの画像を、臨床的に予想される方向を有するように再配向する、請求項３５に記載の方法。
【手続補正１３】
【補正対象書類名】特許請求の範囲
【補正対象項目名】請求項３７
【補正方法】変更
【補正の内容】
【請求項３７】
画像に、画像が奇数回、再配向されたかどうかの表示を保存することをさらに含む、請求項３６に記載の方法。
【手続補正１４】
【補正対象書類名】特許請求の範囲
【補正対象項目名】請求項３８
【補正方法】変更
【補正の内容】
【請求項３８】
マーカーを、ソフトウエアが画像を処理したことを表示する、置換マーカーで置き換えること；および
画像に前記置換マーカーを保存することをさらに含む、請求項３６に記載の方法。
【手続補正１５】
【補正対象書類名】特許請求の範囲
【補正対象項目名】請求項３９
【補正方法】変更
【補正の内容】
【請求項３９】
置き換えることが、
置換マークを、観察可能、かつ両軸に対して非対称に配置することを含み、それによって前記置換マークが、両軸に対して認識可能な画像の方向を表示する、請求項３８に記載の方法。
【手続補正１６】
【補正対象書類名】特許請求の範囲
【補正対象項目名】請求項４０
【補正方法】変更
【補正の内容】
【請求項４０】
画像に、画像が奇数回、再配向されたかどうかの表示を保存することをさらに含む、請求項３８に記載の方法。
【手続補正１７】
【補正対象書類名】特許請求の範囲
【補正対象項目名】請求項４１
【補正方法】変更
【補正の内容】
【請求項４１】
少なくとも１つの放射線感応層を有する、放射線感応プレートの製造方法であって、
放射線に感応するフィルムを、放射線感応プレートの第１の側に設けること；
前記第１の側に検出可能なマーカーを設けること；および
結合剤中への重金属の懸濁剤を、放射線感応層の、第２の側の領域に塗布することを含み、
前記検出可能マーカーと前記塗布された重金属の懸濁剤との組み合わせが、特異であり、かつ非対称である、前記方法。
【手続補正１８】
【補正対象書類名】特許請求の範囲
【補正対象項目名】請求項４２
【補正方法】変更
【補正の内容】
【請求項４２】
２つの内のいずれかの側から露出されるときに、診断的に有用な画像を生成することのできる、実質的に平滑な表面を有する放射線写真プレートとしての使用のために構成された、請求項１に記載のプレート。
【手続補正１９】
【補正対象書類名】特許請求の範囲
【補正対象項目名】請求項４３
【補正方法】変更
【補正の内容】
【請求項４３】
構造が、
画像内に常に出現するマークを生成する表側マーカー；および
プレートが裏側から露出されるときに、画像内に現われるマークを生成する裏側マーカーを含む、請求項４２に記載のプレート。
【手続補正２０】
【補正対象書類名】特許請求の範囲
【補正対象項目名】請求項４４
【補正方法】変更
【補正の内容】
【請求項４４】
裏側マーカーによって生成されるマークが、少なくとも部分的に、表側マークと重複する、請求項４３に記載のプレート。
【手続補正２１】
【補正対象書類名】特許請求の範囲
【補正対象項目名】請求項４５
【補正方法】変更
【補正の内容】
【請求項４５】
表側マーカーが生成するマークと、裏側マーカーが生成するマークとが、実質的に垂直な２つの軸の回りに、それぞれ非対称である、請求項４４に記載のプレート。
【手続補正２２】
【補正対象書類名】特許請求の範囲
【補正対象項目名】請求項４６
【補正方法】変更
【補正の内容】
【請求項４６】
放射線写真システム内に含まれるとともに、
画像データを含む画像ファイルに画像を格納し；
前記画像データ内でマークを検出し；
診断的に予想される方向に対して、選択された配列に表示するために前記画像データを配置し；さらに
前記画像ファイルに、前記画像データとは別に、前記画像データの選択された配列の表示を保存する、
コンピュータ実行命令系列によって定義されるソフトウエアをさらに含む、請求項４５に記載のプレート。
【手続補正２３】
【補正対象書類名】特許請求の範囲
【補正対象項目名】請求項４７
【補正方法】変更
【補正の内容】
【請求項４７】
記録媒体；
放射線感応媒体を放射線に露出することによって生成される、画像の記録媒体内の記録；および
前記画像の記録に埋め込まれたマークであって、前記放射線感応媒体の露出中に生成されるとともに、前記放射線感応媒体が露出された側を表示し、かつ画像の記録にマークが埋め込まれている画像に対して実施された鏡像変換を表示する、前記マークを含む、画像記憶装置に記憶される画像。
【手続補正２４】
【補正対象書類名】特許請求の範囲
【補正対象項目名】請求項４８
【補正方法】変更
【補正の内容】
【請求項４８】
マークが、
画像を反転および回転することによる混乱に影響されない左右関係の表示をさらに含む、請求項４７に記載の装置。
【手続補正２５】
【補正対象書類名】特許請求の範囲
【補正対象項目名】請求項４９
【補正方法】変更
【補正の内容】
【請求項４９】
記録媒体が、放射線感応媒体である、請求項４８に記載の画像記憶装置。
【手続補正２６】
【補正対象書類名】特許請求の範囲
【補正対象項目名】請求項５０
【補正方法】変更
【補正の内容】
【請求項５０】
記録媒体内の記録が、
該記録媒体に保持される画像を表わすディジタル信号を含む、請求項４８に記載の装置。
【手続補正２７】
【補正対象書類名】特許請求の範囲
【補正対象項目名】請求項５１
【補正方法】変更
【補正の内容】
【請求項５１】
画像を表わすディジタル信号とは独立に、画像の現在方向の記録をさらに含む、請求項５０に記載の装置。
【手続補正２８】
【補正対象書類名】特許請求の範囲
【補正対象項目名】請求項５２
【補正方法】変更
【補正の内容】
【請求項５２】
左右関係の表示が、
画像の現在方向を明白に識別する、画像を見るときに現われる記録をさらに含む、請求項４８に記載の画像記憶装置。
【国際調査報告】
2005522704.tif 000109
2005522704.tif 000110
2005522704.tif 000111